(57)【要約】      （修正有）【課題】同一形状、異なる形状の収納物品、又は大きさの相異する収納物品を保持することのできる包装ケース用中仕切を提供する。【解決手段】包装ケース用中仕切Ｘ１は、中敷本体１及び中仕切本体２を備える。中仕切本体２は、多環帯シート体Ｚ１を含んでなる。多環帯シート体Ｚ１は、可撓性のある複数の帯シート１５〜１９にて環状に形成される複数の帯シート環２１〜２４を有する。多環帯シート体Ｚ１において、各帯シート環２１〜２４は、帯シート１５〜１９の帯側面における帯側面領域にて、各帯シート１５〜１９同士を帯側面で接合して一体にされる。中仕切本体２は、中敷本体１の中敷側シート４内側にて中敷底シート３上に載置されて、中敷本体１内に収納される。【選択図】図２
0003199264.tif 000002
【実用新案登録請求の範囲】
【請求項１】
包装ケース内に収納される包装ケース用中仕切において、
中敷底シート、及び前記中敷底シートの外縁に直交して形成される中敷側シートでなる中敷本体と、
多環帯シート体を含んでなる中仕切本体と、
を備え、
前記多環帯シート体は、
可撓性のある帯シートにて環状に形成され、及び環状の前記帯シートの帯側面を対峙して隣設される複数の帯シート環を有し、
前記多環帯シート体において、燐設する前記各帯シート環は、
前記帯シートの前記帯側面における一ヶ所の帯側面領域、又は前記帯シートの帯長方向に間隔を隔てる、前記帯側面における複数ヶ所の帯側面領域にて、前記帯シート同士を前記帯側面で接合してなり、
前記中敷本体は、
前記中敷底シートを前記包装ケース内の底に配置し、及び前記中敷側シートを前記包装ケース内側に配置して、前記包装ケース内に収納され、
前記中仕切本体は、
前記帯長方向に直交する前記帯シートの帯幅方向において、前記各帯シート環の一方の帯幅端を前記中敷底シートに向けて、前記中敷側シート内側に収納される
ことを特徴とする包装ケース用中仕切。
【請求項２】
前記多環帯シート体において、
可撓性のある複数の帯シートを有し、
複数の前記各帯シートは、
前記帯長手方向の帯長を相異し、及び帯側面を対峙して燐設され、
燐設する前記各帯シートは、
前記帯長方向の前記帯側面における一方の帯長端側の帯側面領域にて、一方の帯長端側同士を前記帯側面で接合し、及び他方の帯長端側の帯側面領域にて、他方の帯長端側同士を前記帯側面で接合して、燐設する前記各帯シートにて複数の前記帯シート環を形成し、
前記各帯シート環は、
前記一方及び他方の帯長端側の二ヶ所の前記帯側領域にて接合される
ことを特徴とする請求項１に記載の包装ケース用中仕切。
【請求項３】
前記多環帯シート体において、
前記各帯シート環は、
相異する環状に形成され、及び多重環状に配置して燐設され、
燐設する内側及び外側の前記帯シート環は、
前記帯側面における一ヶ所の帯側面領域、又は帯シートの帯長手方向に間隔を隔てる、前記帯側面における複数ヶ所の帯側面領域にて、前記帯シート同士を帯外面で接合してなる
ことを特徴とする請求項１に記載の包装ケース用中仕切。
【請求項４】
前記多環帯シート体及び前記中敷側シートは、
前記中敷側シートの中敷内側面における二ヶ所の中敷側面領域にて、前記各帯側面領域の前記帯シート及び前記中敷側シート同士を、帯側面及び前記中敷内側面で接合してなり、
前記各中敷側面領域間において、前記各帯シート環の前記帯シートの帯長は、
前記各中敷側面領域を結ぶ直線距離より長くする
ことを特徴とする請求項２に記載の包装ケース用中仕切。
【請求項５】
前記多環帯シート体及び前記中敷側シートは、
前記中敷側シートの中敷内側面における一ヶ所の中敷側面領域にて、最外側の前記帯シート環の前記帯シート及び前記中敷側シート同士を、帯側面及び前記中敷内側面で接合してなる
ことを特徴とする請求項３に記載の包装ケース用中仕切。
【請求項６】
前記多環帯シート体及び前記中敷側シートは、
前記中敷側シートの中敷内側面における二ヶ所の中敷側面領域にて、最外側の前記帯シート環の前記帯シート及び前記中敷側シート同士を、帯側面及び前記中敷内側面で接合してなり、
前記各中敷側面領域間において、前記各帯シート環の前記帯シートの帯長は、
前記各中敷側面領域を結ぶ直線距離より長くする
ことを特徴とする請求項３に記載の包装ケース用中仕切。
【考案の詳細な説明】
【技術分野】
【０００１】
本考案は、包装ケースの内部を仕切る際に使用される、包装ケース用中仕切に関する。
【背景技術】
【０００２】
包装ケース用中仕切として、特許文献１は、複数の第１及び第２仕切り材を有する仕切り材を開示する。各第１仕切り材は、複数の縦方向の切り込み、及び複数の横方向の切り込みを有し、縦方向及び横方向の各切り込みにてＴ字状の切り込みを形成する。特許文献１の仕切り材は、各第１仕切り材の切り込みに第２仕切り材を嵌合わせて、各第１及び第２仕切り材同士を連結し、各第１及び第２仕切り材にて画一的な収納空所（矩形収納空所）を区画する。
【先行技術文献】
【特許文献】
【０００３】
【特許文献１】特開２０１３−１８５３７号公報
【考案の概要】
【考案が解決しようとする課題】
【０００４】
特許文献１では、各第１及び各第２仕切り材にて、画一的な収納空所（矩形収納空所）を区画しており、梱包箱内において、同一形状及び同じ大きさの収納物品しか保持できない。
【０００５】
本考案は、同一形状、異なる形状の収納物品、又は大きさの相異する収納物品を保持することのできる包装ケース用中仕切を提供することにある。
【課題を解決するための手段】
【０００６】
本考案に係る請求項１は、包装ケース内に収納される包装ケース用中仕切において、中敷底シート、及び前記中敷底シートの外縁に直交して形成される中敷側シートでなる中敷本体と、多環帯シート体を含んでなる中仕切本体と、を備え、前記多環帯シート体は、可撓性のある帯シートにて環状に形成され、及び環状の前記帯シートの帯側面を対峙して隣設される複数の帯シート環を有し、前記多環帯シート体において、隣設する前記各帯シート環は、前記帯シートの前記帯側面における一ヶ所の帯側面領域、又は前記帯シートの帯長手方向に間隔を隔てる、前記帯側面における複数ヶ所の帯側面領域にて、前記帯シート同士を前記帯側面で接合してなり、前記中敷本体は、前記中敷底シートを前記包装ケース内の底に配置し、及び前記中敷側シートを前記包装ケース内側に配置して、前記包装ケース内に収納され、前記中仕切本体は、前記帯長手方向に直交する前記帯シートの帯幅方向において、前記各帯シート環の一方の帯幅端を前記中敷底シートに向けて、前記中敷側シート内側に収納されることを特徴とする包装ケース用中仕切である。
【０００７】
本考案に係る請求項２は、前記多環帯シート体において、可撓性のある複数の帯シートを有し、複数の帯シートは、前記帯長手方向の帯長を相異し、及び帯側面を対峙して隣設され、隣設する前記各帯シートは、前記帯長手方向の前記帯側面における一方の帯長端側の帯側面領域にて、一方の帯長側端同士を前記帯側面で接合し、及び他方の帯長端側の帯側面領域にて、他方の帯長端側同士を前記帯側面で接合して、隣設する前記各帯シートにて複数の前記帯シート環を形成し、前記各帯シート環は、前記一方及び他方の帯長端側の二ヶ所の前記帯側面領域にて接合されることを特徴とする請求項１に記載の包装ケース用中仕切である。
【０００８】
本考案に係る請求項３は、前記多環帯シート体において、前記各帯シート環は、相異する環状に形成され、及び多重環状に配置して隣設され、隣設する内側及び外側の前記帯シート環は、前記帯側面における一ヶ所の帯側面領域にて、前記帯シート同士を、内側の前記帯シート環の帯外側面及び外側の前記帯シート環の帯内側面で接合してなることを特徴とする請求項１に記載の包装ケース用中仕切である。
【０００９】
本考案に係る請求項４は、前記多環帯シート体及び前記中敷側シートは、前記中敷側シートの中敷内側面における二ヶ所の中敷側面領域にて、前記各帯側領域の前記帯シート及前記中敷側シート同士を、帯側面及び前記中敷内側面で接合してなり、前記各中敷側面領域間において、前記各帯シート環の前記帯シートの帯長は、前記各中敷側面領域を結ぶ直線距離より長くすることを特徴とする請求２に記載の包装ケース用中仕切である。
【００１０】
本考案に係る請求項５は、前記多環帯シート体及び前記中敷側シートは、前記中敷側シートの中敷内側面における一ヶ所の中敷側面領域にて、最外側の前記帯シート環の前記帯シート及び前記中敷側シート同士を、帯側面及び前記中敷内側面で接合してなることを特徴とする請求項３に記載の包装ケース用中仕切である。
【００１１】
本考案に係る請求項６は、前記多環帯シート体及び前記中敷側シートは、前記中敷側シートの中敷内側面における二ヶ所の中敷側面領域にて、最外側の前記帯シート環の前記帯シート及び前記中敷側シート同士を、帯側面及び中敷内側面にて接合してなり、前記各中敷側面領域間において、前記各帯シート環の前記帯シートの帯長は、前記各中敷側面領域を結ぶ直線距離より長くすることを特徴とする請求項３に記載の包装ケース用中仕切である。
【考案の効果】
【００１２】
本考案に係る請求項１では、多環帯シート体は、可撓性のある帯シートにて環状に形成される複数の帯シート環を有し、各帯シート環を一ヶ所又は複数ヶ所の帯側面領域にて接合して一体にする。これにより、多環帯シート体は、各帯シート環の各帯シートを帯厚方向に変形（弾性変形）することで、包装ケース内において、同一形状、相異する形状の収納物品、又は大きさの相異する収納物品を保持できる。帯厚方向とは、帯長手方向及び帯幅方向に直交する方向である。
包装ケースを搬送（運搬）すると、収納物品は、包装ケースの横揺れに伴って、帯厚方向に横ズレする。多環帯シート体は、収納物品の横ズレに伴って、各帯シート環の各帯シートを帯厚方向に変形（弾性変形）することで、収納物品の横ズレを吸収する。これにより、各帯シート環の各帯シートは、緩衝材として機能させることができる。
【００１３】
本考案に係る請求項２では、請求項１の効果に加えて、多環帯シート体は、可撓性のある複数の帯シートを有する。各帯シートは、帯側面における二ヶ所の帯側面領域にて、各帯長端側同士を帯側面にて接合して一体にすることにより、隣設する各帯シートにて複数の帯シート環を形成する。これにより、多環帯シート体は、各帯シート環の各帯シートを変形（弾性変形）することで、包装ケース内において、同一形状、相異する形状の収納物品、又は大きさの相異する収納物品を保持できる。
【００１４】
本考案に係る請求項３では、請求項１の効果に加えて、各帯シート環は、相異する環状に形成し、及び多重環状に配置する。各帯シート環は、一ヶ所又は複数ヶ所の帯側面領域にて、帯シート同士を帯側面で接合して一体にされる。これにより、多環帯シート体は、各帯シート環の各帯シートを帯厚方向に変形（弾性変形）することで、包装ケース内において、同一形状、相異する形状の収納物品、又は大きさの相異する収納物品を保持できる。
【００１５】
本考案に係る請求項４では、請求項２の効果に加えて、多環帯シート体及び中敷側シートは、二ヶ所の中敷側面領域にて、各帯側面領域の帯シート及び各中敷側シート同士を帯側面及び中敷内側面で接合して、各帯シート環を中敷側シートに固定する。各中敷側面領域間において、各帯シート環の帯シートの帯長は、各中敷側面領域を結ぶ直線距離より長くすることで、各帯シートの変形（弾性変形）を可能にする。これにより、多環帯シート体は、各中敷側面領域を基点（支点）として、各帯シート環の各帯シートを帯厚方向に変形（弾性変形）することで、包装ケース内において、同一形状、相異する形状の収納物品、又は大きさの相異する収納物品を保持できる。
【００１６】
本考案に係る請求項５は、請求項３の効果に加えて、多環帯シート体及び中敷側シートは、一ヶ所の中敷側面領域にて、最外側の帯シート環の帯シート及び中敷側シート同士を、帯側面及び中敷内側面で接合して、多環帯シート体を中敷側シートに固定する。
これにより、多環帯シート体は、中敷側面領域を基点（支点）として、各帯シート環の各帯シートを帯厚方向に変形（弾性変形）することで、包装ケース内において、同一形状、相異する形状の収納物品、又は大きさの相異する収納物品を保持できる。
【００１７】
本考案に係る請求項６は、請求項３の効果に加えて、多環帯シート体及び中敷側シートは、二ヶ所の中敷側面領域にて、最外側の帯シート環の帯シート及び中敷側シート同士を、帯側面及び中敷内側面で接合して、多環帯シート体を中敷側シートに固定する。各中敷側面領域間において、各帯シート環の各帯シートの帯長は、各中敷側面領域を結ぶ直線距離より長くすることで、各帯シートの変形（弾性変形）を可能にする。これにより、多環帯シート体は、各中敷側面領域を基点（支点）として、各帯シート環の各帯シートを帯厚方向に変形（弾性変形）することで、包装ケース内において、同一形状、相異する形状の収納物品、又は大きさの相異する収納物品を保持できる。
【図面の簡単な説明】
【００１８】
【図１】第１実施形態の包装ケース用中仕切を示す斜視図である。
【図２】第１実施形態の包装ケース用中仕切を示す正面図である。
【図３】第１実施形態の包装ケース用中仕切を示す図であって、（ａ）は図２のＡ−Ａ断面図、（ｂ）は図２のＢ−Ｂ断面図である。
【図４】図２のＣ−Ｃ拡大正面図である。
【図５】図４のＤ−Ｄ断面図である。
【図６】図４のＥ−Ｅ断面図である。
【図７】第１実施形態の包装ケース用中仕切及び包装ケースであって、（ａ）は包装ケース用中仕切を包装ケースに収納する前の状態を示す斜視図、（ｂ）は包装ケース用中仕切を包装ケース内に収納した状態を示す斜視図である。
【図８】第１実施形態の包装ケース用中仕切を包装ケースに収納し、及び複数の収納物品を包装ケース内に収納した状態を示す図であって、（ａ）は正面図、（ｂ）は図８（ａ）のＦ−Ｆ断面図である。
【図９】第２実施形態の包装ケース用中仕切を示す斜視図である。
【図１０】第２実施形態の包装ケース用中仕切を示す正面図である。
【図１１】第２実施形態の包装ケース用中仕切を示す図であって、（ａ）は図１０のＧ−Ｇ断面図、（ｂ）は図１０のＨ−Ｈ断面図である。
【図１２】第２実施形態の包装ケース用中仕切であって、各中敷側面領域間の直線距離を示す正面図である。
【図１３】図１０のＩ−Ｉ拡大正面図である。
【図１４】（ａ）は図１３のＫ−Ｋ断面図、（ｂ）はＬ−Ｌ断面図である。
【図１５】図１０のＪ−Ｊ拡大図である。
【図１６】（ａ）は図１５のＭ−Ｍ断面図、（ｂ）は図１５のＮ−Ｎ断面図、（ｃ）は図１５のＯ−Ｏ断面図である。
【図１７】第２実施形態の包装ケース用中仕切を包装ケース内に収納した状態を示す斜視図である。
【図１８】第２実施形態の包装ケース用中仕切を包装ケース内に収納し、複数の収納物品を包装ケース内に収納した状態を示す図であって、（ａ）は正面図、（ｂ）は図１８（ａ）のＰ−Ｐ断面図である。
【図１９】第３実施形態の包装ケース用中仕切を示す斜視図である。
【図２０】第３実施形態の包装ケース用中仕切を示す正面図である。
【図２１】第３実施形態の包装ケース用中仕切を示す図であって、（ａ）は図２０のＱ−Ｑ断面図、（ｂ）は図２０のＲ−Ｒ断面図である。
【図２２】第３実施形態の包装ケース用中仕切であって、各中敷側面領域間の直線距離を示す正面図である。
【図２３】（ａ）は図２０のＳ−Ｓ拡大正面図、（ｂ）は図２３（ａ）のＷ−Ｗ断面図である。
【図２４】（ａ）は図２０のＴ−Ｔ拡大正面図、（ｂ）は図２４（ａ）のＸ−Ｘ断面図である。
【図２５】（ａ）は図２０のＵ−Ｕ拡大正面図、（ｂ）は図２５（ａ）のＹ−Ｙ断面図である。
【図２６】（ａ）は図２０のＶ−Ｖ拡大正面図、（ｂ）は図２６（ａ）のＺ−Ｚ断面図である。
【図２７】第３実施形態の包装ケース用中仕切を包装ケース内に収納した状態を示す斜視図である。
【図２８】第３実施形態の包装ケース用中仕切を包装ケース内に収納し、複数の収納物品を包装ケース内に収納した状態を示す図であって、（ａ）は正面図、（ｂ）は図２８（ａ）のａ−ａ断面図である。
【図２９】第４実施形態の包装ケース用中仕切を示す斜視図である。
【図３０】第４実施形態の包装ケース用中仕切を示す図であって、（ａ）は正面図、（ｂ）は図３０（ａ）のｂ−ｂ断面図である。
【図３１】第４実施形態の包装ケース用中仕切であって、中敷本体及び中仕切本体を示す分解斜視図である。
【図３２】第４実施形態の包装ケース用中仕切であって、２段目の多環帯シート体及び帯シートを示す正面図である。
【図３３】（ａ）は図３０（ａ）のｃ−ｃ拡大書面図、（ｂ）は図３３（ａ）のｅ−ｅ断面図である。
【図３４】（ａ）は図３０（ａ）のｄ−ｄ拡大正面図、（ｂ）は図３４（ａ）のｆ−ｆ断面図である。
【図３５】図３０（ａ）の要部拡大正面図である。
【図３６】第４実施形態の包装ケース用中仕切であって、（ａ）は１段目の多環帯シート体及び複数の帯シートを示す正面図、（ｂ）図３６（ａ）のｇ−ｇ断面図である。
【図３７】第４実施形態の包装ケース用中仕切であって、１段目の各中敷側面領域間の直線距離を示す正面図である。
【図３８】（ａ）は図３６（ａ）のｈ−ｈ拡大正面図、（ｂ）は図３８（ａ）のｌ−ｌ断面図である。
【図３９】（ａ）は図３６（ａ）のｉ−ｉ拡大正面図、（ｂ）は図３９（ａ）のｍ−ｍ断面図である。
【図４０】（ａ）は図３６（ａ）のｊ−ｊ拡大正面図、（ｂ）は図４０（ａ）のｎ−ｎ断面図である。
【図４１】（ａ）は図３６（ａ）のＫ−ｋ拡大正面図、（ｂ）図４１（ａ）のｏ−ｏ断面図である。
【図４２】第４実施形態の包装ケース用中仕切を包装ケース内に収納した状態を示す斜視図である。
【図４３】第４実施形態の包装ケース用中仕切を包装ケース内に収納し、複数の収納物品を包装ケース内に収納した状態を示す図であって、（ａ）は正面図、（ｂ）は図４３（ａ）のｐ−ｐ断面図である。
【図４４】第５実施形態の包装ケース用中仕切を示す斜視図である。
【図４５】第５実施形態の包装ケース用中仕切を示す図であって、（ａ）は正面図、（ｂ）は図４５（ａ）のｑ−ｑ断面図である。
【図４６】第５実施形態の包装ケース用中仕切であって、中敷本体及び中仕切本体を示す分解斜視図である。
【図４７】第５実施形態の包装ケース用中仕切を包装ケース内に収納した状態を示す斜視図である。
【図４８】第５実施形態の包装ケース用中仕切を包装ケース内に収納し、複数の部収納物品を包装ケース内に収納した状態を示す図であって、（ａ）は正面図、（ｂ）は図４８（ａ）のｒ−ｒ断面図である。
【図４９】第６実施形態の包装ケース用中仕切を示す斜視図である。
【図５０】第６実施形態の包装ケース用中仕切を示す図であって、（ａ）は正面図、（ｂ）は図５０（ａ）のｓ−ｓ断面図である。
【図５１】第６実施形態の包装ケース用中仕切であって、中敷本体及び中仕切本体を示す分解斜視図である。
【図５２】第６実施形態の包装ケース用中仕切を包装ケース内に収納した状態を示す斜視図である。
【図５３】第６実施形態の包装ケース用中仕切を包装ケース内に収納し、収納物品を包装ケース内に収納した状態を示す図であって、（ａ）は正面図、（ｂ）は図５３（ａ）のｓ−ｓ断面図である。
【考案を実施するための形態】
【００１９】
本考案に係る包装ケース用中仕切について、図１乃至図５３を参照して説明する。
以下、第１乃至第６実施形態の包装ケース用中仕切について説明する。
【００２０】
図１乃至図５３において、第１乃至第７実施形態の包装ケース用中仕切Ｘ１〜Ｘ６は、包装ケースＹ（又はＹ１）内に収納され、包装ケースＹ（又はＹ１）の内部を複数の収納空所３０１,３０１,…に仕切る（図７、図１７、図２７、図４２、図４７及び図５２参照）。
第１乃至第６実施形態の包装ケース用中仕切Ｘ１〜Ｘ６は、包装ケースＹ（又はＹ１）内に収納される各種の商品、製品等の収納物品（以下、「収納物品」という）を保持する。
第１乃至第６実施形態の包装ケース用中仕切Ｘ１〜Ｘ６は、包装ケースＹ（又はＹ１）の搬送（運搬）の際、緩衝材として機能し、収納物品の破損を抑制する（図８、図１８、図２８、図４３、図４８及び図５３参照）。
【００２１】
＜第１実施形態＞
第１実施形態の包装ケース用中仕切について、図１乃至図８を参照して説明する。
【００２２】
図１乃至図８において、第１実施形態の包装ケース用中仕切Ｘ１（以下、「包装ケース用中仕切Ｘ１」という）は、中敷本体１、及び中仕切本体２を備える。
【００２３】
＜中敷本体１＞
中敷本体１は、図１乃至図６に示すように、中敷底シート３、及び中敷側シート４でなる。
【００２４】
中敷底シート３は、例えば、矩形（正方形）に形成される。中敷底シート３は、紙シート、又は合成樹脂シート（プラスチックシート）等にて、正方形の平面シートに形成される。中敷底シート３は、正方形外縁５を有する。正方形外縁５は、複数（４つ）の辺縁５Ａ,５Ｂ,５Ｃ,５Ｄでなる。
【００２５】
中敷側シート４は、例えば、長方形帯状（矩形帯状）に形成される。中敷側シート４は、紙シート又は合成樹脂シート（プラスチックシート）等にて、長方形帯状の平面シートに形成される。中敷側シート４は、シート長手方向ＳＬに直交するシート幅方向ＳＨにおいて、シート幅Ｓを有する。
【００２６】
中敷側シート４は、中敷底シート３の正方形外縁５に沿って配置される。中敷側シート４は、中敷底シート３に直交して形成される。
中敷側シート４は、複数（４つ）の側シート部６，７，８，９を有し、各側シート部６〜９は、正方形外縁５の各辺縁５Ａ,５Ｂ,５Ｃ,５Ｄに対応して配置される。
中敷側シート４において、各側シート部６〜９は、対応する正方形外縁５の各辺縁５Ａ,５Ｂ,５Ｃ,５Ｄに沿って配置される。
各側シート部６〜９は、一方の幅端を対応する辺縁５Ａ，５Ｂ，５Ｃ，５Ｄに連続形成して、中敷底シート３に直交される。
【００２７】
中敷側シート４において、側シート部６は、シート長手方向ＳＬの各長端６ａ,６ｂを、隣設する各側シート部７,９の一方の長端７ａ，９ａに連結する。側シート部８は、シート長手方向ＳＬの各長端８ａ，８ｂを、隣設する各側シート部７，９の他方の長端７ｂ，９ｂに連結する。
これにより、中敷側シート４は、正方形外縁５に沿って配置され、中敷本体１の外枠を構成する。各側シート部６〜９は、中敷底シート３に直交し、正方形外縁５（各辺縁５Ａ〜５Ｄ）から同方向にシート幅Ｓだけ延在される。
これにより、中敷本体１は、正方形の開口１Ａを有し、中敷底シート３及び中敷側シート４（各側シート部６〜９）にて正方形シート箱（中敷ケース）に形成される。
【００２８】
＜中仕切本体２＞
中仕切本体２は、図１乃至図６に示すように、多環帯シート体Ｚ１を含んでなる。
多環微シート体Ｚ１は、複数の帯シート１５，１６，１７，１８，１９を有する。
多環帯シート体Ｚ１は、各帯シート１５〜１９にて環状に形成される複数の帯シート環２１，２２，２３，２４を有する。
【００２９】
各帯シート１５〜１９は、長方形帯状の平面シートに形成され、帯長手方向ＯＬに直交する帯幅方向ＯＨに帯幅Ｓを有する。各帯シート１５〜１９の帯幅Ｓは、中敷側シート４（各側シート部６〜９）のシート幅Ｓと同一である。
各帯シート１５〜１９は、帯長手方向ＯＬの帯長を相異して形成される。各帯シートの帯長は、帯シート１５＜帯シート１６＜帯シート１７＜帯シート１８＜帯シート１９の関係となる。
各帯シート１５〜１９は、可撓性のある素材（材質）で形成され、例えば、帯厚の薄い紙シート又は合成樹脂シート（プラスチックシート）でなる。
【００３０】
各帯シート１５〜１９は、帯側面を対峙して、帯長手方向ＯＬ及び帯幅方向ＯＨに直交する帯厚方向ＯＴに並列して隣設される。各帯シート１５〜１９の帯側面は、帯厚方向ＯＴに直交する平面である。
各帯シート１５〜１９は、帯長の短い順から帯厚方向ＯＴに隣設される。
【００３１】
隣設する各帯シート１５，１６は、図２、図４及び図５に示すように、帯長手方向ＯＬの帯側面１５Ａ，１６Ａにおける一方の帯長端側１５ａ，１６ａの帯側面領域Ｐ１にて、各帯長端側１５ａ，１６ａ同士を帯側面１５Ａ，１６Ａで接合する。
各帯シート１５，１６は、図２、図４及び図６に示すように、帯長手方向ＯＬの帯側面１５Ａ，１６Ａにおける他方の帯長端側１５ｂ，１６ｂの帯側面領域Ｐ２にて、各帯長端側１５ｂ，１６ｂ同士を帯側面１５Ａ，１６Ａで接合する。各帯側面領域Ｐ１，Ｐ２は、帯長手方向ＯＬのわたる帯側面の一部でなる。なお、接合とは、例えば、接着剤又は両面接着テープ等の接着媒体を各帯シートの帯側面間に介在して、各帯シートを接着して固定することである（以下、同様）。
これにより、隣設する各帯シート１５，１６は、二ヶ所の帯側面領域Ｐ１，Ｐ２にて接合されて、一の帯シート環２１を形成する。
【００３２】
隣設する各帯シート１６，１７は、図２、図４及び図５に示すように、帯側面領域Ｐ１にて、一方の帯長端側１６ａ，１７ａ同士を帯側面１６Ｂ，１７Ａで接合する。帯シート１６の帯側面１６Ｂは、帯厚方向ＯＴにおいて、帯側面１６Ａに対峙する平面であって、帯シート環２１の帯外側面となる。
各帯シート１６，１７は、図２、図４及び図６に示すように、帯側面領域Ｐ２にて、他方の帯長端側１６ｂ，１７ｂ同士を帯側面１６Ｂ，１７Ａで接合する。
これにより、隣設する帯シート１６，１７は、二ヶ所の帯側面領域Ｐ１，Ｐ２にて接合されて、一の帯シート環２２を形成する。
【００３３】
隣設する各帯シート１７，１８は、図２、図４及び図５に示すように、帯側面領域Ｐ１にて、一方の帯長端側１７ａ，１８ａ同士を帯側面１７Ｂ，１８Ａで接合する。帯シート１７の帯側面１７Ｂは、帯厚方向ＯＴにおいて、帯側面１７Ａに対峙する平面であって、帯シート環２２の帯外側面となる。
各帯シート１７，１８は、図２、図４及び図６に示すように、帯側面領域Ｐ２にて、他方の帯長端側１７ｂ，１８ｂ同士を帯側面１７Ｂ，１８Ａで接合する。
これにより、隣設する各帯シート１７，１８は、二ヶ所の帯側面領域Ｐ１，Ｐ２にて接合されて、一の帯シート環２３を形成する。
【００３４】
隣設する各帯シート１８，１９は、図２、図４及び図５に示すように、帯側面領域Ｐ１にて、一方の帯長端側１８ａ，１９ａ同士を帯側面１８Ｂ，１９Ａにて接合する。帯シート１８の帯側面１８Ｂは、帯厚方向ＯＴにおいて、帯側面１８Ａに対峙する平面であって、帯シート環２３の帯外側面となる。
各帯シート１８，１９は、図２、図４及び図６に示すように、帯側面領域Ｐ２にて、他方の帯長端側１８ｂ，１９ｂ同士を帯側面１８Ｂ，１９Ａで接合する。
これにより、隣設する各帯シート１８，１９は、二ヶ所の帯側面領域Ｐ１，Ｐ２にて接合されて、一の帯シート環２４を形成する。
【００３５】
多環帯シート体Ｚ１において、複数の帯シート環２１，２２，２３，２４は、隣設する各帯シート１５〜１９にて環状に形成され、帯厚方向ＯＴに連続して配置される。各帯シート環２１〜２４は、帯長手方向ＳＬに間隔を隔てる、二ヶ所の帯側面領域Ｐ１，Ｐ２にて接合される。
【００３６】
中仕切本体２において、多環帯シート体Ｚ１は、図１乃至図８に示すように、中敷本体１の開口１Ａから中敷本体１内に配置される。
多環帯シート体Ｚ１は、図３、図５及び図６に示すように、帯幅方向ＯＨにおいて、各帯シート環２１〜２４の一方の帯幅端Ｃａを中敷底シート３に向けて、中敷側シート４（各側シート部６〜９）内側に収納される。
多環帯シート体Ｚ１において、各帯シート環１５〜１９は、一方の帯幅端Ｃａを中敷底シート３に当接して、中敷側シート４内側にて中敷底シート３上に立設される。
【００３７】
中仕切本体２において、多環帯シート体Ｚ１は、図２、図４乃至図６に示すように、中敷側シート４の中敷内側面４Ａにおける二ヶ所の中敷側面領域Ｑ１，Ｑ２にて中敷側シート４（中敷本体１）に接合（固定）される。
中敷側シート４の中敷内側面４Ａは、シート厚方向ＳＴに直交する平面である、シート厚方向ＳＴは、シート長手方向ＳＬ及びシート幅方向ＳＨと直交する。
各中敷側面領域Ｑ１，Ｑ２は、シート長手方向ＳＬにわたる中敷内側面４Ａの一部でなる。
各中敷側面領域Ｑ１，Ｑ２は、シート長手方向ＳＬにおいて、側シート部７の他方の長端７ｂ側、及び側シート部８の一方の長端８ａ側に位置する。
各中敷側面領域Ｑ１，Ｑ２は、中敷側シート４の角部４Ｐを境にして、各側シート部７の長端７ｂ及び側シート部８の長端８ａ側に設定する。
【００３８】
多環帯シート体Ｚ１及び中敷側シート４は、図４及び図５に示すように、一方の中敷側面領域Ｑ１にて、一方の帯側面領域Ｐ１の帯シート１９及び一方の中敷側面領域Ｑ１の側シート部７（中敷側シート４）同士を、帯側面１９Ｂ及び中敷内面４Ａで接合する。
帯シート１９は、多環帯シート体Ｚ１において、最外側に配置される帯シートである。帯シート１９の帯側面１９Ｂは、帯厚方向ＯＴにおいて、帯側面１９Ａに対峙する平面であって、帯シート環２４の帯外側面となる。
多環帯シート体Ｚ１及び中敷側シート４は、図４及び図６に示すように、他方の中敷側面領域Ｑ２にて、他方の帯側面領域Ｐ２の帯シート１９及び他方の中敷側面領域Ｑ２の側シート部８（中敷側シート４）同士を、帯側面１９Ｂ及び中敷内側面４Ａで接合する。
中仕切本体２において、多環帯シート体Ｚ１は、二ヶ所の中敷側面領域Ｑ１，Ｑ２にて中敷側シート４（各側シート部６，７）に固定（接合）される。なお、接合とは、例えば、接着剤又は両面接着テープ等の接着媒体を帯シートの帯側面及び中敷側シートの中敷内側面間に介在して、帯シート及び中敷側シートを接着して固定することである（以下、同様）。
また、各帯シート１５〜１９は、各帯シート１５〜１９間に間隔を隔てて、略楕円形にされる。
これにより、多環帯シート体Ｚ１は、各帯シート環２１〜２４（各帯シート１５〜１８）にて、中敷本体１の内部を複数の収納空所３０１，３０１，…に仕切る。
【００３９】
各中敷側面領域Ｑ１，Ｑ２間において、帯１５〜１９の帯長は、図２に示すように、各中敷側面領域Ｑ１，Ｑ２を結ぶ直線距離ＬＱ１より長くする。
これにより、多環帯シート体Ｚ１において、各帯シート環２１〜２４の各帯シート１５〜１９は、各中敷側面領域Ｑ１，Ｑ２を基点（支点）として帯厚向ＯＴに弾性変形できる。
【００４０】
上記構成の包装ケース用中仕切Ｘ１は、包装ケースＹ内に収納され、包装ケースＹの内部を仕切る（図７及び図８参照）。
【００４１】
図７及び図８において、包装ケースＹ１は、例えば、正方形箱に形成され、包装底２０１及び包装外枠２０２を有する。包装外枠２０２は、包装底２０１外縁に沿って配置され、包装底２０１に直交して形成される。
これにより、包装ケースＹは、正方形の開口を有し、包装底２０１及び包装外枠２０２にて正方形箱ケースに形成される。
【００４２】
包装ケース用中仕切Ｘ１において、中敷本体１は、中敷底シート３を包装底２０１に向けて配置する。
中敷本体１は、中敷底シート３を包装ケースＹの開口から包装ケースＹ内の底に配置し、及び中敷底シート３を包装底２０１上に載置する。
中敷本体１は、中敷側シート４（各側シート部６〜９）を包装外枠２０２（包装ケースＹ）内側に配置して、包装ケースＹ内に収納される。
これにより、多環帯シート体Ｚ１は、中敷本体１内側に位置して、包装ケースＹ内に収納され、及び包装ケースＹの内部を複数の収納空所３０１，３０１，…に仕切る。
【００４３】
包装ケース用中仕切Ｘ１を包装ケースＹ内に収納した後、複数の収納物品Ｇ１，Ｇ２を包装ケースＹ内に収納する（図８参照）。
図８において、収納物品Ｇ１は、例えば、帯シート環２４内側に配置して、包装ケースＹ内に収納する。収納物品Ｇ２は、例えば、帯シート環２３内側に配置して、包装ケースＹ内に収納する。
このとき、収納物品を収納する者（以下、「収納者」という）は、各帯シート環２４，２３の各帯シート１７，１８，１９を、帯厚方向ＯＴに変形（弾性変形）して、各収納物品Ｇ１，Ｇ２を各帯シート環２４，２３内側に収納する。各収納物品Ｇ１，Ｇ２は、図８（ｂ）に示すように、包装ケースＹ内において、中敷底シート３（包装底２０１）上に配置される。
【００４４】
各収納物品Ｇ１，Ｇ２を各帯シート環２４，２３内側に収納すると、各帯シート環２１，２３の各帯シート１５，１６，１７も変形（弾性変形）される（図８参照）。各収納物品Ｇ１，Ｇ２は、図８（ａ）に示すように、大きさを相異している。
このとき、各帯シート１５〜１９は、変形（弾性変形）による復元力にて、各帯シート１９，１８を収納物品Ｇ１に当接し、及び各帯シート１８，１７を収納物品Ｇ２に当接する。
帯シート環２４の各帯シート１８，１９は、帯側面１８Ｂ，１９Ａを収納物品Ｇ１に面接触して、収納物品Ｇ１を保持する。
帯シート環２３の各帯シート１７，１８は、帯側面１７Ｂ，１８Ａを収納物品Ｇ２に面接触して、収納物品Ｇ２を保持する。
【００４５】
各収納物品Ｇ１，Ｇ２を包装ケースＹに収納した後、包装ケースＹを搬送（運搬）すると、各収納物品Ｇ１，Ｇ２は、包装ケースＹの横揺れに追従して、帯厚方向ＯＴに横ズレする。
各収納物品Ｇ１，Ｇ２の横ズレに伴って、各帯シート環２１〜２４の各帯シート１５〜１９は、帯厚方向ＯＴに変形（弾性変形）して、各収納物品Ｇ１，Ｇ２の横ズレを吸収し、緩衝材として機能する。
このように、包装ケース用中仕切Ｘ１では、多環帯シート体Ｚ１の各帯シート１５〜１８を帯厚方向ＯＴに弾性変形することで、同一形状、相異する形状の収納物品、又は大きさの相異する収納物品を保持できる。
【００４６】
＜第２実施形態＞
第２実施形態の包装ケース用中仕切Ｘ２について、図９乃至図１８を参照して説明する。
なお、図９乃至図１８において、図１乃至図８と同一符号は、同一部材、同一構成であるので、その詳細な説明は省略する。
【００４７】
図９乃至図１８において、第２実施形態の包装ケース用中仕切Ｘ２（以下、「包装ケース用中仕切Ｘ２」という）は、中敷本体１及び中仕切本体３２を備える。
【００４８】
＜中敷本体１＞
包装ケース用中仕切Ｘ２において、中敷本体１は、図１乃至図４で説明したと同様、中敷底シート３及び中敷側シート４でなる。
中敷底シート３は、例えば、正方形（矩形）の平面シートに形成される。中敷側シート４は、複数（４つ）の側シート部６〜９を有し、各側シート部６〜７は、正方形外縁５の各辺縁５Ａ〜５Ｄに対応して配置される。
これにより、中敷本体１は、正方形の開口１Ａを有し、中敷底シート３及び中敷側シート４（各側シート部６〜９）にて正方形シート箱（中敷ケース）に形成される。
【００４９】
＜中仕切本体３２＞
中仕切本体３２は、図９乃至図１６に示すように、多環帯シート体Ｚ２、及び複数の帯シートＳ１，Ｓ２を含んでなる。
【００５０】
多環帯シート体Ｚ２は、複数の帯シート３５，３６，３７，３８を有する。
多環帯シート体Ｚ２は、各帯シート３５〜３８にて環状に形成される複数の帯シート環４１，４２，４３を有する。
【００５１】
各帯シート３５〜３８は、長方形帯状の平面シートに形成され、帯幅方向ＯＨに帯幅Ｓを有する。各帯シート３５〜３８は、帯長手方向ＯＬの帯長を相異して形成される。各帯シート３５〜３８の帯長は、帯シート３５＜帯シート３６＜帯シート３７＜帯シート３８の関係となる。
各帯シート３５〜３８は、可撓性のある素材で形成され、例えば、帯厚の薄い紙シート又は合成樹脂シート（プラスチックシート）でなる。
【００５２】
各帯シート３５〜３８は、図９乃至図１６に示すように、帯側面を対峙して、帯厚方向ＯＴに並列して隣設される。各帯シート３５〜３８の帯側面は、帯厚方向ＯＴに直交する平面である。
各帯シート３５〜３８は、帯長の短い順から帯厚方向ＯＴに隣設される。
【００５３】
隣設する各帯シート３５，３６は、図１０、図１３及び図１４（ａ）に示すように、帯長手方向ＯＬの帯側面３５Ａ，３６Ａにおける一方の帯長端側３５ａ，３６ａの帯側面領域Ｐ３にて、各帯長端側３５ａ，３６ａ同士を帯側面３５Ａ，３６Ａで接合する。
【００５４】
隣設する各帯シート３６，３７は、図１０、図１３及び図１４（ａ）に示すように、帯側面領域Ｐ３にて、一方の帯長端３６ａ，３７ａ同士を帯側面３６Ｂ，３７Ａで接合する。
【００５５】
隣設する各帯シート３７，３８は、図１０、図１３及び図１４（ａ）に示すように、帯側面領域Ｐ３にて、一方の帯長端側３７ａ，３８ａ同士を帯側面３７Ｂ，３８Ａで接合する。
【００５６】
隣設する各帯シート３７，３８は、図１０、図１５及び図１６（ａ）に示すように、帯長手方向ＯＬの帯側面３７Ｂ，３８Ａにおける他方の帯長端側３７ｂ，３８ｂの帯側面領域Ｐ４にて、各帯長端側３７ｂ，３８ｂ同士を帯側面３７Ｂ，３８Ａで接合する。
これにより、各帯シート３７，３８は、二ヶ所の帯側面領域Ｐ３，Ｐ４にて接合され、一の帯シート環４３を形成する。
帯シート３７の帯側面３７Ｂは、帯厚方向ＯＴにおいて、帯側面３７Ｂに対峙する平面であって、帯シート環４２の帯外側面となる。
【００５７】
隣設する各帯シート３６，３７は、図１０、図１５及び図１６（ｂ）に示すように、各帯側面領域Ｐ３，Ｐ４間に位置する、帯側面の帯側面領域Ｐ５にて、帯シート３６の他方の帯長端側３６ｂ及び帯シート３７同士を帯側面３６Ｂ，３７Ａで接合する
これにより、各帯シート３６，３７は、二ヶ所の帯側面領域Ｐ３，Ｐ５にて接合され、一の帯シート環４２を形成する。
帯シート３６の帯側面３６Ｂは、帯厚方向ＯＴにおいて、帯側面３６Ａに対峙する平面であって、帯シート環４２の帯外側面となる。
【００５８】
各帯シート３５，３７は、図１０、図１５及び図１６（ｃ）に示すように、各帯側面領域Ｐ４，Ｐ５間に位置する、帯側面領域Ｐ６にて、帯シート３５の他方の帯長端側３５ｂ及び帯シート３７同士を帯側面３５Ａ，３７Ａで接合する。
これにより、各帯シート３５，３７は、二ヶ所の帯側面領域Ｐ３，Ｐ６にて接合され、帯シート３６とで一の帯シート環４１を形成する。
【００５９】
多環帯シート体Ｚ２において、各帯シート環４１〜４３は、隣設する各帯シート３５〜３８にて環状に形成され、帯厚方向ＯＴに連続して配置される。各帯シート環４１〜４３は、帯長手方向ＯＬに間隔を隔てる、二ヶ所の帯側面領域Ｐ３，Ｐ４（又はＰ３，Ｐ５、又はＰ３，Ｐ６）にて接合される。
各帯側面領域Ｐ３〜Ｐ６は、帯長手方向ＯＬにわたる帯側面の一部でなる。
【００６０】
各帯シートＳ１，Ｓ２は、長方形帯状の平面シートに形成され、帯幅方向ＯＨに帯幅Ｓを有する。各帯シートＳ１，Ｓ２は、可撓性のある素材で形成され、例えば、帯厚の薄い紙シート又は合成樹脂シート（プラスチックシート）でなる。
【００６１】
中仕切本体３２において、多環帯シート体Ｚ２、及び各帯シートＳ１，Ｓ２は、図９乃至図１８に示すように、中敷本体１の開口１Ａから中敷本体１内に配置される。
多環帯シート体Ｚ２は、図１１、図１４及び図１６に示すように、帯幅方向ＯＨにおいて、各帯シート環４１〜４３の一方の帯幅端Ｃｂを中敷底シート３に向けて、中敷側シート４（各側シート部６〜９）内側に収納される。
多環帯シート体Ｚ２において、各帯シート環４１〜４３は、一方の帯幅端Ｃｂを中敷底シート３に当接して、中敷側シート４内側にて中敷底シート３上に立設される。
【００６２】
中仕切本体３２において、各帯シートＳ１，Ｓ２は、帯幅方向ＯＨの一方の帯幅端を中敷底シート３に向けて、中敷側シート４（各側シート部６〜９）内側に収納される。各帯シートＳ１，Ｓ２は、一方の帯幅端を中敷底シート３に当接して、中敷側シート４内側にて中敷底シート３上に立設される。
帯シートＳ１は、図１０、図１３及び図１５に示すように、帯側面Ｓ１Ａを帯シート３５の帯側面３５Ｂに対峙して配置される。
多環帯シート体Ｚ２において、帯シート３５の帯側面３５Ｂは、帯厚方向ＯＴにおいて、帯側面３５Ａに対峙する平面であって、帯シート環４１の帯外側面となる。
帯シートＳ２は、図１０、図１３及び図１５に示すように、多環帯シート体Ｚ２及び帯シートＳ１間に位置して、帯側面Ｓ２Ａを帯シートＳ１の帯側面Ｓ１Ａに対峙して配置される。帯シートＳ２は、帯側面Ｓ２Ｂを帯シート３５の帯側面３５Ｂに対峙して配置される。帯シートＳ２の帯側面Ｓ２Ｂは、帯厚方向ＯＴにおいて、帯側面Ｓ２Ａに対峙する平面である。
【００６３】
中仕切本体３２において、多環帯シート体Ｚ２は、図１０、図１３乃至図１６に示すように、中敷側シート４のシート長手方向ＳＬに間隔を隔てる、中敷内側面４Ａにおける二ヶ所の中敷側面領域Ｑ３，Ｑ４にて中敷本体１（中敷側シート４）に固定（接合）される。
各中敷側面領域Ｑ３，Ｑ４は、シート長手方向ＳＬにわたる中敷内側面４Ａの一部でなる。
【００６４】
各中敷側面領域Ｑ３，Ｑ４は、図１９、図１３及び図１５に示すように、側シート部７の長端７ａ側、及び側シート部９の長端９ｂ側に設定する。
【００６５】
多環帯シート体Ｚ２及び中敷側シート４は、図１３及び図１４（ａ）に示すように、一方の中敷側面領域Ｑ３にて、帯側面領域Ｐ３の帯シート３８（帯長端側３８ａ）及び側シート部７同士を、帯側面３８Ｂ及び中敷内側面４Ａで接合する。帯シート３８の帯側面３８Ｂは、帯厚方向ＯＴにおいて、帯側面３８Ａに対峙する平面であって、帯シート環４３の帯外側面となる。
多環帯シート体Ｚ２及び中敷側シート４は、図１５及び図１６（ａ）に示すように、他方の中敷側面領域Ｑ４にて、帯側面領域Ｐ４の帯シート３７及び側シート部７同士を、帯側面３７Ａ及び中敷内側面４Ａで接合する。
これにより、中仕切本体２において、多環帯シート体Ｚ２は、二ヶ所の中敷側面領域Ｑ３，Ｑ４にて中敷側シート（各側シート部７，９）に固定される。
【００６６】
各中敷側面領域Ｑ３，Ｑ４間において、各帯シート環４３の各帯シート３７，３８の帯長は、図１２に示すように、各中敷側面領域Ｑ３，Ｑ４間を結ぶ直線距離ＬＱ２より長くする。
これにより、多環帯シート体Ｚ２において、各帯シート環４３の各帯シート３７，３８は、各中敷側面領域Ｑ３，Ｑ４を基点（支点）として帯厚方向ＯＴに弾性変形できる。
帯シート３６は、中敷側面領域Ｑ３及び帯側面領域Ｐ６を基点（支点）として帯厚方向ＯＴに弾性変形でき、及び帯シート３５は、中敷側面領域Ｑ３及び帯側面領域Ｐ５を基点（支点）として帯厚方向ＯＴに弾性変形できる。
【００６７】
中仕切本体３２において、帯シートＳ１は、図１０、図１３及び図１５に示すように、中敷側シート４のシート長手方向ＳＬに間隔を隔てる、中敷内側面４Ａにおける二ヶ所の中敷側面領域Ｑ５，Ｑ６にて中敷本体１（中敷側シート４）に固定（接合）される。
各中敷側面領域Ｑ５，Ｑ６は、シート長手方向ＳＬにわたる中敷内側面４Ａの一部となる。
【００６８】
中敷側面領域Ｑ５は、中敷側面領域Ｑ３及び側シート部８の長端８ａ間であって、側シート部８の長端８ｂ側に設定する。
中敷側面領域Ｑ６は、中敷側面領域Ｑ４及び側シート部７の長端７ｂ間であって、側シート部７の長端７ａ側に設定する。
【００６９】
帯シートＳ１及び中敷側シート４は、図１３及び図１４（ｂ）に示すように、一方の中敷側面領域Ｑ５にて、帯シートＳ１の一方の帯長端側Ｓ１ａ及び側シート部８同士を、帯側面Ｓ１Ｂ及び中敷内側面４Ａで接合する。帯シートＳ１の帯側面Ｓ１Ｂは、帯厚方向ＯＴにおいて、帯側面Ｓ１Ａに対向する平面である。
帯シートＳ１及び中敷シート４は、図１５及び図１６（ｂ）に示すように、他方の中敷側面領域Ｑ６にて、帯シートＳ１の他方の帯長端側Ｓ１ｂ及び側シート部７同士を、帯側面Ｓ１Ｂ及び中敷内側面４Ａで接合する。
これにより、帯シートＳ１は、二ヶ所の中敷側面領域Ｑ５，Ｑ６にて中敷側シート４（各側シート部７，８）に固定（接合）される。
【００７０】
各中敷側面領域Ｑ５，Ｑ６間において、帯シートＳ１の帯長は、図１２に示すように、各中敷側面領域Ｑ５，Ｑ６を結ぶ直線距離ＬＱ３より長くする。
これにより、帯シートＳ１は、各中敷側面領域Ｑ５，Ｑ６を基点（支点）として帯厚方向ＯＴに弾性変形できる。
【００７１】
帯シートＳ２及び帯シート３５は、図１３及び図１４（ａ）に示すように、中敷側面領域Ｑ３（帯側面領域Ｐ３）にて、一方の帯長端側Ｓ２ａ，３５ａ同士を、帯側面ＳＢ２及び帯側面３５Ｂで接合する。
帯シートＳ２及び帯シートＳ１は、図１５及び図１６（ｂ）に示すように、中敷側面領域Ｑ６にて、他方の帯長端Ｓ２ｂ，Ｓ１ｂ同士を、帯側面Ｓ２Ｂ，Ｓ１Ａで接合する。
これにより、帯シートＳ２は、二ヶ所の中敷側面領域Ｑ３，Ｑ６にて中敷側シート４（各側シート部７，９）に固定（接合）される。
【００７２】
各中敷側面領域Ｑ３，Ｑ６間において、帯シートＳ２の帯長は、図１２に示すように、各中敷側面領域Ｑ４，Ｑ６を結ぶ直線距離ＬＱ４より長くする。
これにより、帯シートＳ２は、各中敷側面猟奇Ｑ３，Ｑ６を基点（支点）として帯厚方向ＯＴに弾性変形できる。
【００７３】
上記構成の包装ケース用中仕切Ｘ２は、図７及び図８で説明したと同様、包装ケースＹ内に収納され、包装ケースＹの内部を仕切る（図１７及び図１８参照）。
【００７４】
包装ケース用中仕切Ｘ２を包装ケースＹ内に収納した後、複数の収納物品Ｇ３〜Ｇ９を包装ケースＹ内に収納する（図１８参照）。各収納物品Ｇ１〜Ｇ９は、図１８（ａ）に示すように、大きさを相異している。
図１８において、収納物品Ｇ３は、例えば、帯シート環４３内側に配置して、包装ケースＹ内に収納する。各収納物品Ｇ４，Ｇ５は、帯シート環４２内側に配置して、包装ケースＹ内に収納する。各収納物品Ｇ６，Ｇ７，Ｇ８は、帯シート環４１内側に配置して、包装ケースＹ内に収納する。収納物品Ｇ９は、各帯シートＳ１，Ｓ２間に配置して、包装ケースＹ内に収納する。
収納者は、各帯シート環４１〜４３の各帯シート３５〜３８、及び各帯シートＳ１，Ｓ２を、帯厚方向ＯＴに変形（弾性変形）して、各収納物品Ｇ３〜Ｇ８を各帯シート帯４１〜４３内側に収納し、及び収納物品Ｇ９を各帯シートＳ１，Ｓ２間に収納する。
各収納物品Ｇ１〜Ｇ９は、図１８（ｂ）に示すように、包装ケースＹ内において、中敷底シート３上に配置される。
このとき、各帯シート３５〜３８，Ｓ１，Ｓ２は、変形（弾性変形）による復元力にて、各帯シート３７，３８を収納物品Ｇ３に当接し、帯シート３６，３７を収納物品Ｇ４，Ｇ５に当接し、各帯シート３５，３６を各収納物品Ｇ６，Ｇ７，Ｇ８に当接し、及び各帯シートＳ１，Ｓ２を収納物品Ｇ９に当接する。
帯シート環４３の各帯シート３７，３８は、帯側面３７Ｂ及び帯側面３８Ａを収納物品Ｇ３に面接触して、収納物品Ｇ３を保持する。
帯シート環４２の各帯シート３６，３７は、帯側面３６Ｂ及び帯側面３７Ａを各収納物品Ｇ４，Ｇ５に面接触して、各収納物品Ｇ４，Ｇ５を保持する。
帯シート環４１の各帯シート３５，３６は、各帯側面３５Ａ，３６Ａを各収納物品Ｇ６，Ｇ７，Ｇ８に当接して、各収納物品Ｇ６〜Ｇ８を保持する。
各帯シートＳ１，Ｓ２は、各帯側面Ｓ１Ａ，Ｓ２Ｂを収納物品Ｇ９に面接触して、収納物品Ｇ９を保持する。
【００７５】
各収納物品Ｇ３〜Ｇ９を包装ケースＹに収納した後、包装ケースＹを搬送（運搬）すると、各収納物品Ｇ３〜Ｇ９は、包装ケースＹの横揺れに追従して、帯厚方向ＯＴに横ズレする。
各収納物品Ｇ３〜Ｇ９の横ズレに伴って、各帯シート環４１〜４３の各帯シート３５〜３８，及び各帯シートＳ１，Ｓ２は、帯厚方向ＯＴに変形（弾性変形）して、各収納物品Ｇ３〜Ｇ３の横ズレを吸収し、緩衝材として機能する。
このように、包装ケース用中仕切Ｘ２では、多環帯シート体Ｚ２の各帯シート３５〜３８、及び各帯シートＳ１，Ｓ２を帯幅方向ＯＴに変形することで、同一形状、相異する形状の収納物品、又は大きさの相異する収納物品を保持できる。
【００７６】
＜第３実施形態＞
第３実施形態の包装ケース用中仕切Ｘ３について、図１９乃至図２８を参照して説明する。
なお、図１９乃至図２８において、図１乃至図８と同一符号は、同一部材、同一構成であるので、その詳細な説明は省略する。
【００７７】
図１９乃至図２８において、第３実施形態の包装ケース用中仕切Ｘ３（以下、「包装ケース用中仕切Ｘ３」という）は、中敷本体１及び中仕切本体５２を備える。
【００７８】
＜中敷本体１＞
包装ケース用中仕切Ｘ３において、中敷本体１は、図１乃至図４で説明したと同様、中敷底シート３及び中敷側シート４でなる。
中敷底シート３は、例えば、正方形（矩形）の平面シートに形成される。中敷側シート４は、複数（４つ）の側シート部６〜９を有し、各側シート部６〜９は、正方形外縁５の各辺縁５Ａ〜５Ｄに対応して配置される。
これにより、中敷本体１は、正方形の開口１Ａを有し、中敷底シート３及び中敷側シート４（各側シート部６〜９）にて正方形ケース箱（中敷ケース）に形成される。
【００７９】
＜中仕切本体５２＞
中仕切本体５２は、多環帯シート体Ｚ３、及び複数の帯シートＳ１１，Ｓ１２，Ｓ１３，Ｓ１５，Ｓ１６を含んでなる。
【００８０】
多環帯シート体Ｚ３は、複数の帯シート５５，５６，５７を有する。
多環帯シート体Ｚ３は、各帯シート５５〜５７にて環状に形成される複数の帯シート環６１，６２を有する。
【００８１】
各帯シート５５〜５７は、長方形帯状の平面シートに形成され、帯厚方向ＯＴに帯幅Ｓを有する。各帯シート５５〜５７は、帯長手方向ＯＬの帯長を相異して形成される。各帯シート５５〜５７の帯長は、帯シート５５＜帯シート５６＜帯シート５７の関係となる。
各帯シート５５〜５７は、可撓性のある素材で形成され、例えば、帯厚の薄い紙シート又は合成樹脂シート（プラスチックシート）でなる。
【００８２】
各帯シート５５〜５７は、帯側面を対峙して、帯厚方向ＯＴに並列して隣設される。各帯シート５５〜５７の帯側面は、帯厚方向ＯＴに直交する平面である。
各帯シート５５〜５７は、帯長の短い順から帯厚方向ＯＴに隣設される。
【００８３】
隣設する各帯シート５６，５７は、図２０及び図２３に示すように、帯長手方向ＯＬの帯側面５６Ａ，５７Ａにおける一方の帯長端側５６ａ，５７ａの帯側面領域Ｐ１１にて、各帯長端側５６ａ，５７ａ同士を帯側面５６Ａ，５７Ａで接合する。
各帯シート５６，５７は、図２０及び図２４に示すように、他方の各帯長端側５６ｂ，５７ｂの帯側面領域Ｐ１２にて、各帯長端側５６ｂ，５７ｂ同士を各帯側面５６Ａ，５７Ａで接合する。
これにより、隣設する各帯シート５６，５７は、二ヶ所の帯側面領域Ｐ１１，Ｐ１２にて接合され、一の帯シート環６１を形成する。
【００８４】
隣設する各帯シート５５，５６は、図２０及び図２３に示すように、一方の帯側領域Ｐ１１にて、一方の帯長端側５５ａ，５６ａ同士を、帯側面５５Ａ，５６Ｂで接合する。
帯シート５６の帯側面５６Ｂは、帯厚方向ＯＴにおいて、帯側面５６Ａに対峙する平面であって、帯シート環６１の帯外側面となる。
各帯シート５５，５６は、図２０及び図２４に示すように、各帯側面領域Ｐ１１，Ｐ１２間に位置する、帯側面領域Ｐ１３にて、帯シート５５の他方の帯側端面５５ｂ及び帯シート５６同士を、帯側面５５Ａ，５６Ｂで接合する。
これにより、隣設する各帯シート５５，５６は、二ヶ所の帯側面領域Ｐ１１，Ｐ１３にて接合され、一の帯シート環６２を形成する。
【００８５】
多環帯シート体Ｚ３において、各帯シート環６１，６２は、隣設する各帯シート５５〜５７にて環状に形成され、帯厚方向ＯＴに連続して配置される。各帯シート環６１，６２は、帯長手方向ＯＴに間隔を隔てる、二ヶ所の帯側面領域Ｐ１１，Ｐ１２（又はＰ１１，Ｐ１３）にて接合される。
各帯側面領域Ｐ１１〜Ｐ１３は、帯長手方向ＯＬにわたる帯側面の一部でなる。
【００８６】
各帯シートＳ１１〜Ｓ１６は、長方形帯状の平面に形成され、帯厚方向ＯＴに帯幅Ｓを有する。各帯シートＳ１１〜Ｓ１６は、可撓性のある素材（材質）で形成され、例えば、帯厚の薄い紙シート又は合成樹脂シート（プラスチックシート）でなる。
【００８７】
中仕切本体５２において、多環帯シート体Ｚ３、及び複数の帯シートＳ１１〜Ｓ１６は、図１９乃至図２８に示すように、中敷本体１の開口１Ａから中敷本体１内に配置される。
多環帯シート体Ｚ３は、図２２に示すように、各帯シート環６１，６２の一方の帯幅端Ｃｄを中敷底シート３に向けて、中敷側シート４（各側シート部６〜９）内側に収納される。
多環帯シート体Ｚ３において、各帯シート環６１，６２は、一方の帯幅端Ｃｄを中敷底シート３に当接して、中敷側シート４内側にて中敷底シート３上に立設される。
【００８８】
中仕切本体５２において、各帯シートＳ１１〜Ｓ１６は、帯幅方向ＯＨの一方の帯幅端を中敷底シート３に向けて、中敷側シート４（各側シート部６〜９）内側に収納される。各帯シートＳ１１〜Ｓ１６は、一方の帯幅端を中敷底シート３に当接して、中敷側シート４内側にて中敷底シート３上に立設される。
【００８９】
帯シートＳ１１は、図２０に示すように、多環帯シート体Ｚ３及び各側シート部７，８間に位置して、帯側面Ｓ１１Ａを帯シート５５の帯側面５５Ｂに対峙して配置される。帯シート５５の帯側面５５Ｂは、帯厚方向ＯＴにおいて、帯側面５５Ａに対峙する平面であって、帯シート環６２の帯外側面となる。
【００９０】
帯シートＳ１２は、図２０に示すように、帯側面Ｓ１２Ａを帯シート５７の帯側面５７Ｂに対峙して配置される。帯シート５７の帯側面５７Ｂは、帯厚方向ＯＴにおいて、帯側面５７Ａに対峙する平面であって、帯シート環６１の帯外側面となる。
【００９１】
帯シートＳ１３は、図２０に示すように、帯シートＳ１２及び各側シート部８，９間に位置して、帯側面Ｓ１３Ａを帯シートＳ１２の帯側面Ｓ１２Ａに対峙して配置される。
【００９２】
帯シートＳ１４は、図２０に示すように、各帯シートＳ１２，Ｓ１３間に位置して、帯側面Ｓ１４Ａを帯シートＳ１２の帯側面Ｓ１２Ａに対峙して配置される。帯シートＳ１４は、帯側面Ｓ１４Ｂを帯シートＳ１３の帯側面Ｓ１３Ａに対峙して配置される。帯シートＳ１４の帯側面Ｓ１４Ｂは、帯厚方向ＯＴにおいて、帯側面Ｓ１４Ａに対峙する平面である。
【００９３】
帯シートＳ１５は、図２０に示すように、帯シートＳ１２及び各側シート部６，９間に位置して、帯側面Ｓ１５Ａを帯シート１２の帯側面Ｓ１２Ａに対峙して配置される。
【００９４】
帯シートＳ１６は、図２０に示すように、各帯シートＳ１２，Ｓ１５間に位置して、帯側面Ｓ１６Ａを帯シート１２の帯側面Ｓ１２Ａに対峙して配置される。帯シートＳ１６は、帯側面Ｓ１６Ｂを帯シート１５の帯側面Ｓ１５Ａに対峙して配置される。帯シート１６の帯側面Ｓ１６Ｂは、帯厚方向ＯＴにおいて、帯側面Ｓ１６Ａに対峙する平面である。
【００９５】
中仕切本体５２において、多環帯シート体Ｚ３は、図２０、図２３乃至図２５に示すように、中敷側シート４のシート長手方向ＳＬに間隔を隔てる、中敷内側面４Ａにおける三ヶ所の中敷側面領域Ｑ１１，Ｑ１２，Ｑ１３にて中敷本体１（中敷側シート４）に固定（接合）される。
各中敷側面領域Ｑ１１，Ｑ１２，Ｑ１３は、シート長手方向ＳＬにわたる中敷内側面４Ａの一部でなる。
【００９６】
中敷側面領域Ｑ１１は、図２０に示すように、側シート部６の各長端６ａ，６ｂ間であって、側シート部６中央の長端６ｂ側に設定する。
中敷側面領域Ｑ１２は、図２０に示すように、側シート部８の各長端８ａ，８ｂ間であって、側シート部８中央の長端８ａ側に設定する。
中敷側面領域Ｑ１３は、図２０に示すように、側シート部７の各長端７ａ，７ｂ間であって、側シート部７の略中央に設定する。
【００９７】
多環帯シート体Ｚ３及び中敷側シート４は、図２３に示すように、中敷側面領域Ｑ１１にて、一方の帯側面領域Ｐ１１の帯シート５５（帯長端側５５ａ）及び側シート部６同士を、帯側面５５Ｂ及び中敷内側面４Ａで接合する。
多環帯シート体Ｚ３及び中敷側シート４は、図２４に示すように、中敷側面領域Ｑ１２にて、他方の帯側面領域Ｐ１２の帯シート５７（帯長端側５７ｂ）及び側シート部８同士を、帯側面５７Ａ及び中敷内側面４Ａで接合する。
多環帯シート体Ｚ３及び中敷側シート４は、図２５に示すように、中敷側面領域Ｑ１３にて、各帯側面領域Ｐ１１，１３間に位置する帯シート５５及び側シート部７同士を、帯側面５５Ｂ及び中敷内側面４Ａで接合する。
これにより、中仕切本体２において、多環帯シート体Ｚ３は、三ヶ所の中敷側面領域Ｑ１１，Ｑ１２，Ｑ１３にて中敷側シート４（各側シート部６，７，８）に固定（接合）される。
【００９８】
各中敷側面領域Ｑ１１，Ｑ１３間において、帯シート環６１の帯シート５５の帯長は、図２２に示すように、各中敷側面領域Ｑ１１，Ｑ１３を結ぶ直線ＬＱ１１より長くする。
各中敷側面領域Ｑ１１，Ｑ１２間において、帯シート環６２の帯シート５７の帯長は、図２２に示すように、各中敷側面領域Ｑ１１，Ｑ１２を結ぶ直線ＬＱ１２より長くする。
これにより、多環帯シートＺ３において、各帯シート環６１，６２の各帯シート５５，５７は、各中敷側面領域Ｑ１１，Ｑ１３（又はＱ１１，Ｑ１２）を基点（支点）として帯厚方向ＯＴに弾性変形できる。
帯シート５５は、帯側面領域Ｐ１３及び中敷側面領域Ｑ１３を基点（支点）として弾性変形でき、帯シート５６は、帯側面領域Ｐ１２及び中敷側面猟奇Ｑ１１を基点（支点）として弾性変形できる。
【００９９】
中仕切本体５２において、帯シートＳ１１は、図２０に示すように、中敷側シート４のシート長手方向ＳＬに間隔を隔てる、二ヶ所の中敷側面領域Ｑ１４，Ｑ１５にて中敷本体１（中敷側シート４）に固定（接合）される。
各中敷側面領域Ｑ１４，１５は、シート長手方向ＳＬにわたる中敷内側面４Ａの一部でなる。
【０１００】
中敷側面領域Ｑ１４は、図２０に示すように、側シート部７の長端７ｂ及び中敷側面領域Ｑ１３間であって、側シート部７に設定する。
中敷側面領域Ｑ１５は、図２０に示すように、側シート部８の長端８ａ及び中敷側面領域Ｑ１２間であって、側シート部８に設定する。
【０１０１】
帯シートＳ１１及び中敷側シート４は、図２５に示すように、一方の中敷側領域Ｑ１４にて、一方の帯長端側Ｓ１１ａ及び側シート部７同士を、帯側面Ｓ１１Ｂ及び中敷内側面４Ａで接合する。帯シートＳ１１の帯側面Ｓ１１Ｂは、帯厚方向ＯＴにおいて、帯側面Ｓ１１Ａに対峙する平面である。
帯シートＳ１１及び中敷側シート４は、図２４に示すように、他方の中敷側領域Ｑ１５にて、他方の帯長端側Ｓ１１ｂ及び側シート部８同士を、帯側面Ｓ１１Ｂ及び中敷内側面４Ａで接合する。
【０１０２】
各中敷側面領域Ｑ１４，Ｑ１５間において、帯シートＳ１１の帯長は、図２２に示すように、各中敷側面領域Ｑ１４，Ｑ１５を結ぶ直線距離ＬＱ１５より長くする。
これにより、帯シートＳ１１は、各中敷側面領域Ｑ１４，Ｑ１５を基点（支点）として帯厚方向ＯＴに弾性変形できる。
【０１０３】
中仕切本体５２において、帯シートＳ１３は、図２０に示すように、中敷側シート４のシート長手方向ＳＬに間隔を隔てる、二ヶ所の中敷側面領域Ｑ１６，Ｑ１７にて中敷本体１（中敷側シート４）に固定（接合）される。
各中敷側面領域Ｑ１６，Ｑ１７は、シート長手方向ＳＬにわたる中敷内側面４Ａの一部でなる。
【０１０４】
中敷側面領域Ｑ１６は、図２０に示すように、側シート部９の長端９ａ，９ｂ間であって、側シート部９の中央に設定する。
中敷側面領域Ｑ１７は、図２０に示すように、側シート部８の長端８ｂ及び中敷側面領域Ｑ１２間であって、側シート部８に設定する。
【０１０５】
帯シートＳ１３及び中敷側シート４は、図２６に示すように、一方の中敷側面領域Ｑ１６にて、一方の帯長端側Ｓ１３ａ及び側シート９同士を、帯側面１３Ｂ及び中敷内側面４Ａで接合する。帯シートＳ１３の帯側面Ｓ１３Ｂは、帯厚方向ＯＴにおいて、帯側面Ｓ１３Ａに対峙する平面である。
帯シートＳ１及び中敷側シート４は、図２４に示すように、他方の中敷側面領域Ｑ１７にて、他の帯長端側Ｓ１３ｂ及び側シート部８同士を、帯側面Ｓ１３Ｂ及び中敷内側面４Ａで接合する。
【０１０６】
各中敷側面領域Ｑ１６，Ｑ１７間において、帯シートＳ１３の帯長は、図２２に示すように、各中敷側面領域Ｑ１６，Ｑ１７を結ぶ直線距離ＬＱ１６より長くする。
これにより、帯シートＳ１３は、各中敷側面領域Ｑ１６，Ｑ１７を基点（支点）として帯厚方向ＯＴに弾性変形できる。
【０１０７】
中仕切本体５２において、帯シートＳ１４は、図２０に示すように、二ヶ所の中敷側面領域Ｑ１８，Ｑ１２にて中敷本体１（中敷側シート４）に固定（接合）される。
【０１０８】
中敷側面領域Ｑ１８は、図２０に示すように、側シート部９の中央に設定する。
【０１０９】
帯シートＳ１４及中敷側シート４は、図２６に示すように、中敷側面領域Ｑ１８にて、一方の帯長端側Ｓ１４ａ及び側シート部９同士を、帯側面Ｓ１４Ｂ及び中敷内側面４Ａで接合する。
帯シートＳ１４及び中敷側シート４は、図２４に示すように、中敷側面領域Ｑ１２にて、他方の帯長端側Ｓ１４ｂ及び側シート部８同士を、帯側面１４Ｂ及び中敷内側面４Ａで接合する。
【０１１０】
各中敷側面領域Ｑ１８，Ｑ１２間において、帯シートＳ１４の帯長は、図２２に示すように、各中敷側面領域Ｑ１８，Ｑ１２を結ぶ直線距離ＬＱ１７より長くする。
これにより、帯シートＳ１４は、各中敷側面領域Ｑ１８，Ｑ１２を基点（支点）として帯厚方向ＯＴに弾性変形できる。
【０１１１】
中仕切本体５２において、帯シートＳ１５は、図２０に示すように、二ヶ所の中敷側面領域Ｑ１９，Ｑ２０にて中敷本体１（中敷側シート４）に固定（接合）される。
各中敷側面領域Ｑ１９，Ｑ２０は、シート長手方向ＳＬにわたる中敷内側面４Ａの一部でなる。
中敷側面領域Ｑ１９は、図２０に示すように、側シート部９の長端９ａ及び中敷側面領域Ｑ１８間であって、側シート部９に設定する。
中敷側面領域Ｑ２０は、図２０に示すように、側シート部６の長端６ｂ及び中敷側面領域Ｑ１１間であって、側シート部６に設定する。
【０１１２】
帯シートＳ１５及び中敷側シート４は、図２６に示すように、中敷側面領域Ｑ１９にて、一方の帯長端側Ｓ１５ａ及び側シート部９同士を、帯側面Ｓ１５Ｂ及び中敷内側面４Ａで接合する。帯シートＳ１５の帯側面Ｓ１５Ｂは、帯厚方向ＯＴにおいて、帯側面Ｓ１５Ａに対峙する平面である。
帯シートＳ１５及び中敷側シート４は、図２３に示すように、中敷側面領域Ｑ２０にて、他方の帯長端側Ｓ１５ｂ及び側シート部６同士を、帯側面Ｓ１５Ｂ及び中敷内側面４Ａで接合する。
【０１１３】
各中敷側面領域Ｑ１９，Ｑ２０間において、帯シートＳ１５の帯長は、図２２に示すように、各中敷側面領域Ｑ１９，Ｑ２０を結ぶ直線距離ＬＱ１８より長くする。
これにより、帯シートＳ１５は、各中敷側面領域Ｑ１９，Ｑ２０を基点（支点）として帯厚方向ＯＴに弾性変形できる。
【０１１４】
中仕切本体５２において、帯シートＳ１６は、図２０に示すように、シート長手方向ＳＬに間隔を隔てる、二ヶ所の中敷側面領域Ｑ１８，Ｑ２１にて中敷本体１（中敷側シート４）に固定（接合）される。
各中敷側面領域Ｑ１８，Ｑ２１は、シート長手方向ＳＬにわたる中敷内周面４Ａの一部でなる。
【０１１５】
中側面領域Ｑ２１は、各中敷側面領域Ｑ１１，Ｑ２０間であって、側シート部６に設定する。
【０１１６】
帯シートＳ１６及び中敷側シート４は、図２６に示すように、中敷側面領域Ｑ１８にて、一方の帯長端側Ｓ１６ａ及び側シート部９同士を、帯側面Ｓ１６Ｂ及び中敷内側面４Ａで接合する。帯シートＳ１６の帯側面Ｓ１６Ｂは、帯厚方向ＯＴにおいて、帯側面Ｓ１６Ａに対峙する平面である。
帯シート１６及び中敷側シート４は、図２３に示すように、中敷側面領域Ｑ２１にて、他方の帯長端側Ｓ１６ｂ及び側シート部６同士を、帯側面１６Ｂ及び中敷内側面４Ａで接合する。
【０１１７】
各中敷側面領域Ｑ１８，Ｑ２１間において、帯シートＳ１６の帯長は、図２２に示すように、各中敷側面領域Ｑ１８，Ｑ２１を結ぶ直線距離ＬＱ２０より長くする。
これにより、帯シートＳ１６は、各中敷側面領域Ｑ１８，Ｑ２１を基点（支点）として帯厚方向ＯＴに弾性変形できる。
【０１１８】
中仕切本体５２において、帯シートＳ１２は、図２０に示すように、中敷側面領域Ｑ１８にて各帯シートＳ１４，Ｓ１６に固定（接合）されて、一の帯シート環６５を形成する。
【０１１９】
帯シートＳ１２，Ｓ１４は、図２６に示すように、中敷側面領域Ｑ１８にて、一方の帯長端側Ｓ１２ａ，Ｓ１４ａ同士を、各帯側面Ｓ１２Ａ，Ｓ１４Ａで接合する。
帯シートＳ１２，Ｓ１６は、図２６に示すように、中敷側面領域Ｑ１８にて、各帯側端Ｓ１２ｂ，Ｓ１６ａ同士を、帯側面Ｓ１２Ａ，Ｓ１６Ａで接合する。
【０１２０】
上記構成の包装ケース用中仕切Ｘ３は、図７及び図８で説明したと同様、包装ケースＹ内に収納され、包装ケースＹの内部を仕切る（図２７及び図２８参照）。
【０１２１】
包装ケース用中仕切Ｘ３を包装ケースＹ内に収納した後、複数の収納物品Ｇ２１〜Ｇ２４を包装ケースＹ内に収納する（図２８参照）。
図２８において、収納物品Ｇ２１は、帯シート５７、Ｓ１２，Ｓ１６間に配置して、包装ケースＹ内に収納する。収納物品Ｑ２２は、帯シート５７，Ｓ１２間に配置して、包装ケースＹ内に収納する。各収納物品Ｇ２３，Ｇ２４は、帯シートＳ１３及び各側シート部８，９間に配置して、包装ケースＹ内に収納する。
このとき、収納者は、帯シート５７，Ｓ１１，Ｓ１３，Ｓ１６を変形（弾性変形）して、各収納物品Ｇ２１〜Ｇ２４を収納する。
各収納物質Ｇ２１〜Ｇ２４は、包装ケースＹ内において、図２８（ｂ）に示すように、中敷底シート３（包装底２０１）上に載置される。
【０１２２】
各収納物品Ｇ２１〜Ｇ２４を配置すると、各帯シート５５，５６，Ｓ１１，Ｓ１４，Ｓ１５も変形（弾性変形）される（図２８参照）。
このとき、各帯シート５７，Ｓ１３，Ｓ１２，Ｓ１６は、変形（弾性変形）による復元力にて、各帯シート５７，Ｓ１６，Ｓ１２を収納物品Ｇ２１に当接し、各帯シート５７，Ｓ１２を収納物品Ｇ２２に当接し、及び帯シートＳ１３を各収納物品Ｇ２３，Ｇ２４に当接する。
各帯シート５７，Ｓ１２，Ｓ１６は、各帯側面５７Ｂ，Ｓ１２Ａ，Ｓ１６Ａを収納物品Ｇ２１に面接触して、収納物品Ｇ２１を保持する。
各帯シ―ト５７，Ｓ１２は、帯側面５７Ｂ，Ｓ１２Ａを収納物品Ｇ２２に面接触して、収納物品Ｇ２２を保持する。
帯シートＳ１３は、帯側面Ｓ１３Ｂを各収納物品Ｇ２３，Ｇ２４に面接触して、各側シート部７，８とで、各収納物品Ｇ２３，２４を保持する。
【０１２３】
各収納物品Ｇ２１〜Ｇ２４を包装ケースＹ内に収納した後、包装ケースＹを搬送（運搬）すると、各収納物品Ｇ２１〜Ｇ２４は、包装ケースＹの横揺れに追従して、帯厚方向ＯＴに横ズレする。各収納物品Ｇ２１〜Ｇ２４の横ズレに伴って、各帯シート環６１，６２の帯シート５５〜５７、及び各帯シートＳ１１〜Ｓ１６は、帯厚方向ＯＴに変形（弾性変形）して、各収納物品Ｇ２１〜Ｇ２４の横ズレを吸収し、緩衝材として機能する。
このように、包装ケース用中仕切Ｘ３では、多環帯シート体Ｚ３の各帯シート５５〜５７、及び各帯シートＳ１１〜Ｓ１６を帯幅方向ＯＴに変形することで、同一形状、相異する形状の収納物品、又は大きさの相異する収納物品を保持できる。
【０１２４】
＜第４実施形態＞
第４実施形態の包装ケース用中仕切Ｘ４について、図２９乃至図４３を参照して説明する。
なお、図２９乃至図４３において、図１乃至図８と同一符号は、同一部材、同一構成であるので、その詳細な説明は省略する。
【０１２５】
図２９乃至図４３において、第４実施形態の包装ケース用中仕切Ｘ４（以下、「包装ケース用中仕切Ｘ４」という）は、中敷本体１及び中仕切本体７２を備える。
【０１２６】
＜中敷本体１＞
包装ケース用中仕切Ｘ４において、中敷本体１は、図１乃至図４で説明したと同様、中敷底シート３及び中敷側シート４でなる。中敷底シート３は、例えば、正方形（矩形）の平面シートに形成される。中敷側シート４は、複数（４つ）の側シート部６〜８を有し、各側シート部６〜９は、正方形外縁５の各辺縁５Ａ〜５Ｄに対応して配置される。
これにより、中敷本体１は、正方形の開口１Ａを有し、中敷底シート３及び中敷側シート４（各側シート部６〜９）にて正方形シート箱（中敷ケース）に形成される。
【０１２７】
＜中仕切本体７２＞
中仕切本体７２は、図２９乃至図３９に示すように、複数の多環帯シート体Ｚ４，Ｚ６、及び複数の帯シートＳ５１，Ｓ５２，Ｓ５３，Ｓ５４，Ｓ５５，Ｓ５６を含んでなる。
【０１２８】
多環帯シート体Ｚ４は、図２９乃至図３５に示すように、複数の帯シート８５，８６，８７，８８，８９を有する。
多環帯シート体Ｚ４は、各帯シート８５〜８９にて環状に形成される複数の帯シート環９１，９２，９３，９４を有する。
【０１２９】
各帯シート８５〜８９は、長方形帯状の平面シートに形成され、帯幅方向ＯＨに帯幅Ｓｆを有する。各帯シート８５〜８９の帯幅Ｓｆは、中敷側シート４のシート幅Ｓの半分（Ｓｆ＝Ｓ／２）である。
各帯シート８５〜８９は、帯長手方向ＯＬの帯長を相異して形成される、各帯シート８５〜８９の帯長は、帯シート８５＜帯シート８６＜帯シート８７＜帯シート８８＜帯シート８９の関係である。
各帯シート８５〜８９は、可撓性のある素材（材質）で形成され、例えば、帯厚の薄い紙シート又は合成樹脂シート（プラスチックシート）でなる。
【０１３０】
各帯シート８６〜８９は、図２９乃至図３５に示すように、帯側面を対峙して、帯厚方向ＯＴに並列して隣設される。各帯シート８６〜８９は、帯長の短い順から帯厚方向ＯＴに隣設される。
帯シート８５は、図２９乃至図３５に示すように、帯側面を帯シート８９の帯側面に対峙して、帯厚方向ＯＴに並列して隣設される。
【０１３１】
隣設する各帯シート８６，８７は、図３２及び図３３に示すように、帯長手方向ＯＬの帯側面８６Ａ，８７Ａにおける一方の帯長端側８６ａ，８７ａの帯側面領域Ｐ３３にて、各帯長端８６ａ，８７ａ同士を帯側面８６Ａ，８７Ａで接合する。
各帯シート８６，８７は、図３２及び図３４に示すように、帯長手方向ＯＬの帯側面８６Ａ，８７Ａにおける他方の帯長端側８６ｂ，８７ｂの帯側面領域Ｐ３４にて、各帯長端側８６ｂ，８７ｂ同士を帯側面８６Ａ，８７Ａで接合する。
これにより、隣設する各帯シート８６，８７は、二ヶ所の帯側面領域Ｐ３３，Ｐ３４にて接合され、一の帯シート環９１を形成する。
【０１３２】
隣設する各帯シート８７，８８は、図３２及び図３３に示すように、帯側面領域Ｐ３３にて、一方の帯長端側８７ａ，８８ａ同士を帯側面８７Ｂ，８８Ａで接合する。帯シート８７の帯側面８７Ｂは、帯厚方向ＯＴにおいて、帯側面８７Ａに対峙する平面であって、帯シート環９１の帯外側面となる。
各帯シート８７，８８は、図３２及び図３４に示すように、帯側面領域Ｐ３４にて、他方の帯長端側８７ｂ，８８ｂ同士を帯側面８７Ｂ，８８Ａで接合する。
これにより、隣設する各帯シート８７，８８は、二ヶ所の帯側面領域Ｐ３３，３４にて接合され、一の帯シート環９２を形成する。
【０１３３】
隣設する各帯シート８８，８９は、図３２及び図３３に示すように、帯側面領域Ｐ３３にて、一方の帯長端側８８ａ，８９ａ同士を帯側面８８Ｂ，８９Ａで接合する。帯シート８８の帯側面８８Ｂは、帯厚方向ＯＴにおいて、帯側面８８Ａに対峙する平面であって、帯シート環９２の帯外側面となる。
各帯シート８８，８９は、図３２及び図３４に示すように、帯側面領域Ｐ３４にて、他方の帯長端側８８ｂ，８９ｂ同士を帯側面８８Ｂ，８９Ａで接合する。
これにより、隣設する各帯シート８８，８９は、二ヶ所の帯側面領域Ｐ３３，Ｐ３４にて接合され、一の帯シート環９３を形成する。
【０１３４】
隣設する各帯シート８９，８５は、図３２及び図３５に示すように、各帯側面領域Ｐ３３，Ｐ３４間に位置する、帯側面領域Ｐ３５にて、帯シート８５の一方の帯長端側３５ａ及び帯シート８９同士を帯側面８５Ａ，８９Ｂで接合する。帯シート８９の帯側面８９Ｂは、帯厚方向ＯＴにおいて、帯側面８９Ａに対峙する平面であって、帯シート環９３の帯外側面となる。
各帯シート８９，８５は、図３２及び図３４に示すように、帯側面領域Ｐ３４にて、他方の帯長端側８９ｂ，８５ｂ同士を帯側面８５Ａ，８９Ｂで接続する。
これにより、隣設する各帯シート８９，８５は、二ヶ所の帯側面領域Ｐ３４，３５にて接合され、一の環状シート環９４を形成する。
【０１３５】
多環帯シート体Ｚ４において、複数の帯シート環９１，９２，９３，９４は、隣設する帯シート８５〜８９にて環状に形成され、帯厚方向ＯＴに連続して配置される。各帯シート環９１〜９４は、帯長手方向ＯＬに間隔を隔てる、二ヶ所の帯側面領域Ｐ３３，Ｐ３４（又はＰ３４，Ｐ３５）にて接合される。  
【０１３６】
多環帯シート体Ｚ６は、図２９乃至図３１、及び図３６乃至図３９に示すように、複数の帯シート１２５，１２６，１２７を有する。
多環帯シート体Ｚ６は、図３６に示すように、各帯シート１２５〜１２７にて環状に形成される複数の帯シート環１３１，１３２を有する。
【０１３７】
各帯シート１２５〜１２７は、長方形帯状の平面シートに形成され、帯幅方向ＯＨに帯幅Ｓｆ（Ｓｆ＝Ｓ／２）を有する。
各帯シート１２５〜１２７は、帯長手方向ＯＬの帯長を相異して形成される。各帯シート１２５〜１２７の帯長は、帯シート１２５＜帯シート１２６＜帯シート１２７の関係である。
各帯シート１２５〜１２７は、可撓性のある素材（材質）で形成され、例えば、帯厚の薄い紙シート又は合成樹脂シート（プラスチックシート）でなる。
【０１３８】
各帯シート１２５〜１２７は、図３０及び図３６に示すように、帯側面を対峙して、帯厚方向ＯＴに並列して隣設される。各帯シート１２５〜１２７の帯側面は、帯厚方向に直交する平面である。
各帯シート１２５〜１２７は、帯長の短い順から帯厚方向ＯＴに隣設される。
【０１３９】
隣設する各帯シート１２５，１２６は、図３６及び図３８に示すように、帯長手方向ＯＬの帯側面１２５Ａ，１２６Ａにける一方の帯長端側１２５ａ，１２６ａの帯側面領域Ｐ５１にて、各帯長端側１２５ａ，１２６ａ同士を帯側面１２５Ａ，１２６Ａで接合する。
各帯シート１２５，１２６は、図３６及び図３９に示すように、帯長手方向ＯＬの帯側面１２５Ａ，１２６Ａにおける他方の帯長端側１２５ｂ，１２６ｂの帯側面領域Ｐ５２にて、各帯長端側１２５ｂ，１２６ｂ同士を帯側面１２５Ａ，１２６Ａで接合する。
これにより、隣設する各帯シート１２５，１２６は、二ヶ所の帯側面領域Ｐ５１，Ｐ５２にて接合され、一の帯シート環１３１を形成する。
【０１４０】
隣設する各帯シート１２６，１２７は、図３６及び図３８に示すように、帯側面領域Ｐ５１にて、一方の帯長端側１２６ａ，１２７ａを帯側面１２６Ｂ，１２７Ａで接合する。帯シート１２６の帯側面１２６Ｂは、帯厚方向ＯＴにおいて、帯側面１２６Ａに対峙する平面であって、帯シート環１３１の帯外側面を形成する。
各帯シート１２６，１２７は、図３６及び図３９に示すように、帯側面領域Ｐ５２にて、他方の帯長端側１２６ｂ，１２７ｂ同士を帯側面１２６Ｂ，１２７Ｂで接合する。
これにより、隣設する各帯シート１２６，１２７は、二ヶ所の帯側面領域Ｐ５１，Ｐ５２にて接合され、一の帯シート環１３２を形成する。
【０１４１】
多環帯シート体Ｚ６において、複数の帯シート環１３１，１３２は、隣設する各帯シート１２５〜１２７にて環状に形成され、帯厚方向ＯＴに連続して配置される。各帯シート環１３１，１３２は、帯長手方向ＯＬに間隔を隔てる、二ヶ所の帯側面領域Ｐ５１，Ｐ５２にて接合される。
【０１４２】
各帯シートＳ５１〜Ｓ５６は、長方形帯状の平面シートに形成され、帯幅方向ＯＨに帯幅Ｓｆ（Ｓｆ＝Ｓ／２）を有する。各帯シートＳ５１〜Ｓ５６は、可撓性のある素材（材質）で形成され、例えば、帯厚の薄い紙シート又は合成樹脂シート（プラスチックシート）でなる。
【０１４３】
中仕切本体７２において、各多環帯シート体Ｚ４，Ｚ６、及び各帯シートＳ５１〜Ｓ５３は、図２９乃至図４３に示すように、中敷本体１の開口１Ａから中敷本体１内に配置される。
【０１４４】
多環帯シート体Ｚ６は、図３０（ａ）及び図３１に示すように、帯幅方向ＯＨにおいて、各帯シート環１３１，１３２の一方の帯幅端Ｃｆを中敷底シート３に向けて、中敷側シート４（各側シート部６〜９）内側に収納される。
多環帯シート体Ｚ６において、各帯シート環１３１，１３２は、一方の帯幅端Ｃｆを中敷底シート３に当接して、中敷側シート４内側にて中敷底シート３上に立設される。
【０１４５】
中仕切本体７２において、各帯シートＳ５２〜Ｓ５６は、帯幅方向ＯＨの一方の帯幅端を中敷底シート３に向けて、中敷側シート４（各側シート部６〜９）内側に収納される。
各帯シートＳ５２〜Ｓ５６は、一方の帯幅端を中敷底シート３に当接して、中敷側シート４内側にて中敷底シート３上に立設される。
帯シートＳ５２〜Ｓ５６は、帯厚方向ＯＴにおいて、各多環帯シート体Ｚ６及び側シート部７間に位置される。
帯シートＳ５２は、図３６に示すように、帯側面Ｓ５２Ａを帯シート１２７の帯側面１２７Ｂに対峙して配置される。
帯シートＳ５３は、図３６に示すように、帯側面５３Ａを帯シート５２の帯側面５２Ｂに対峙して配置される。帯シートＳ５２の帯側面Ｓ５２Ｂは、帯厚方向ＯＴにおいて、帯側面Ｓ５２Ａに対峙する平面である。
帯シートＳ５４は、図３６に示すように、帯側面５４Ａを帯シートＳ５３の帯側面Ｓ５３Ｂに対峙して配置される。帯シートＳ５３の帯側面Ｓ５３Ｂは、帯厚方向ＯＴにおいて、帯側面Ｓ５３Ａに対峙する平面である。
帯シートＳ５５は、図３６に示すように、帯側面Ｓ５５Ａを帯シート５４の帯側面Ｓ５４Ｂに対峙して配置される。帯シートＳ５４の帯側面Ｓ５４Ｂは、帯厚方向ＯＴにおいて、帯側面Ｓ５４Ａに対峙する平面である。
帯シートＳ５６は、図３６に示すように、帯側面Ｓ５６Ａを帯シートＳ５５の帯側面Ｓ５５Ｂに対峙して配置される。帯シートＳ５５の帯側面Ｓ５５Ｂは、帯厚方向ＯＴにおいて、帯側面Ｓ５５Ａに対峙する平面である。
【０１４６】
中仕切本体７２において、多環帯シート体Ｚ６は、図３６、図３８及び図３９に示すように、中敷側シート４のシート長手方向ＳＬに間隔を隔てる、二ヶ所の中敷側面領域Ｑ５１，Ｑ５２にて中敷本体１（中敷側シート４）に固定（接合）される。
各中敷側面領域Ｑ５１，Ｑ５２は、シート長手方向ＳＬにわたる中敷内側面４Ａの一部でなる。
【０１４７】
中敷側面領域Ｑ５１は、図３６に示すように、側シート部６の各長端６ａ，６ｂ間であって、側シート部６の中央から長端６ｂ側に設定する。
中敷側面領域Ｑ５２は、図３６に示すように、側シート部８の各長端８ａ，８ｂ間であって、側シート部８の長端８ｂ側に設定する。
各中敷側面領域Ｑ５１，Ｑ５２は、中敷内側面４Ａにおいて、中敷底シート３側（シート幅方向ＳＨの中敷底シート３側）に設定される。
【０１４８】
多環帯シート体Ｚ６及び中敷側シート４は、図３６及び図３８に示すように、中敷側面領域Ｑ５１にて、一方の帯側面領域Ｐ５１の帯シート１２７（帯長端側１２７ａ）及び側シート部６同士を、帯側面１２７Ｂ及び中敷内側面４Ａで接合する。
多環帯シート体Ｚ６及び中敷側シート４は、図３６及び図３９に示すように、中敷側面領域Ｑ５２にて、他方の帯側面領域Ｐ５２の帯シート１２７（帯長端側１２７ｂ）及び側シート部８同士を、帯側面１２７Ｂ及び中敷内側面４Ａで接合する。
これにより、中仕切本体７２において、多環帯シート体Ｚ６は、二ヶ所の中敷側面領域Ｑ５１，Ｑ５２にて中敷側シート４（各側シート部６，８）に接合（固定）される。
【０１４９】
各中敷側面領域Ｑ５１，Ｑ５２間において、各帯シート環１３１，１３２の各帯シート１２５〜１２７の帯長は、図３７に示すように、各中敷側面領域Ｑ５１，Ｑ５２を結ぶ直線距離ＬＱ５１より長くする。
これにより、多環帯シート体Ｚ６において、各帯シート環１３１，１３２の各帯シート１２５〜１２７は、各中敷側面領域Ｑ５１，Ｑ５２を基点（支点）として帯厚方向ＯＴに弾性変形できる。
【０１５０】
中仕切本体７２において、帯シートＳ５２は、図３６及び図３８に示すように、各帯側面領域Ｐ５１，Ｐ５２間に位置する、帯側面領域Ｐ５３にて、帯シート１２７に接合される。
各帯シートＳ５２，１２７は、図３６及び図３８に示すように、帯側面領域Ｐ５３にて、一方の帯長端側Ｓ５２ａ及び帯シート１２７同士を、各帯側面Ｓ５２Ａ，１２７Ｂで接合する。
帯側面領域Ｐ５３は、帯長手方向ＯＬにわたる帯側面の一部でなる。
【０１５１】
帯シートＳ５２は、図３６に示すように、中敷側シート４のシート長手方向ＳＬの中敷側面領域Ｑ５３にて中敷本体１（中敷側シート４）に固定（接合）される。
中敷側面領域Ｑ５３は、図３６に示すように、シート長手方向ＳＬにわたる中敷内側面４Ａの一部でなる。
中敷側面領域Ｑ５３は、中敷側面領域Ｑ５２及び側シート部８の長端８ａ間であって、側シート部８に設定する。
中敷側面領域Ｑ５３は、中敷内側面４Ａにおいて、中敷底シート３側（シート幅方向ＳＨの中敷底シート３側）に設定される。
【０１５２】
帯シートＳ５２及び中敷側シート４は、図３６及び図３９に示すように、中敷側面領域Ｑ５３にて、他方の帯長端側Ｓ５２ｂ及び側シート部８同士を、帯側面Ｓ５２Ｂ及び中敷内即面４Ａで接合する。
これにより、中仕切本体７２において、帯シートＳ５２は、帯側面領域Ｐ５３及び中敷側面領域Ｑ５３にて、帯シート１２７及び中敷側シート４（各側シート部８）に接合（固定）される。
【０１５３】
帯側面領域Ｐ５３及び中敷側面領域Ｑ５３間において、帯シートＳ５２の帯長は、図３７に示すように、各領域Ｐ５３，Ｑ５３を結ぶ直線距離ＬＱ５３より長くする。
これにより、帯シートＳ５２は、帯側面領域Ｐ５３及び中敷側面領域Ｑ５３を基点（支点）として帯厚方向ＯＴに弾性変形できる。
【０１５４】
中仕切本体７２において、帯シートＳ５４は、図３６に示すように、中敷側シート４のシート長手方向ＳＬに間隔を隔てる、二ヶ所の中敷側面領域Ｑ５４，Ｑ５５にて中敷本体１（中敷側シート４）に接合（固定）される。
各中敷側面領域Ｑ５４，Ｑ５５は、シート長手方向ＳＬにわたる中敷内側面４Ａの一部でなる。
【０１５５】
中敷側面領域Ｑ５４は、図３６に示すように、中敷側面領域Ｑ５１及び側シート部６の長端６ａ間であって、側シート部６の長端６ｂ側に設定する。
中敷側面領域Ｑ５５は、図３６に示すように、中敷側面領域Ｑ５３及び側シート部８の長端８ａ間であって、側シート部８の長端８ａ側に設定する。
各中敷側面領域Ｑ５４，Ｑ５５は、中敷内側面４Ａにおいて、中敷底シート３側（シート幅方向ＳＨの中敷底シート３側）に設定される。
【０１５６】
帯シートＳ５４及び中敷側シート４は、図３６及び図３８に示すように、中敷側面領域Ｑ５４にて、一方の帯長端側Ｓ５４ａ及び側シート部６同士を、帯側面Ｓ５４Ｂ及び中敷内側面４Ａで接合する、
帯シートＳ５４及び中敷側シート４は、図３６及び図４０に示すように、中敷側面領域Ｑ５５にて、他方の帯長端側Ｓ５４ｂ及び側シート部８同士を、帯側面５４Ａ及び中敷内側面４Ａで接合する。
これにより、中仕切本体７２において、帯シートＳ５４は、二ヶ所の中敷側面領域Ｑ５４，Ｑ５５にて中敷本体１（中敷側シート４）に固定（接合）される。
【０１５７】
各中敷側面領域Ｑ５４，Ｑ５５間において、帯シートＳ５４の帯長は、図３７に示すように、各領域Ｑ５４，Ｑ５５を結ぶ直線距離ＬＱ５５より長くする。
これにより、帯シートＳ５４は、各中敷側面領域Ｑ５４，Ｑ５５を基点（支点）として帯厚方向ＯＴに弾性変形できる。
【０１５８】
中仕切本体７２において、帯シートＳ５３は、図３６及び図３８に示すように、帯シートＳ５４の帯側面Ｓ５４Ａにおける帯長端側５４ａの帯側端領域Ｐ５４にて、帯シートＳ５４に接合される。
各帯シートＳ５３，Ｓ５４は、帯側面領域Ｐ５４にて、各帯長端側Ｓ５３ａ，Ｓ５４ａ同士を、各帯側面Ｓ５３Ｂ，Ｓ５４Ａで接合する。
【０１５９】
帯シートＳ５３は、図３６に示すように、中敷側面領域Ｑ５６にて中敷本体１（中敷側シート４）に固定（接合）される。
中敷側面領域Ｑ５６は、シート長手方向にわたる中敷内側面４Ａの一部でなる。
中敷側面領域Ｑ５６は、図３６に示すように、各中敷側面領域Ｑ５３，Ｑ５５間であって、側シート部８の長端８ａ側に設定する。
中敷側面領域Ｑ５６は、中敷内側面４Ａにおいて、中敷底シート３側（シート幅方向ＳＨの中敷底シート３側）に設定される。
【０１６０】
帯シートＳ５３及び中敷側シート４は、図３６及び図４０に示すように、中敷側面領域Ｑ５６にて、他方の帯長端側Ｓ５３ｂ及び側シート部８同士を、帯側面５３Ａ及び中敷内側面４Ａで接合する。
これにより、中仕切本体７２において、帯シートＳ５３は、帯側面領域Ｐ５４及び中敷側面領域Ｑ５６にて、帯シートＳ５４及び中敷側シート４（側シート部８）に接合（固定）される。
【０１６１】
帯側面領域Ｐ５４及び中敷側面領域Ｑ５６間において、帯シートＳ５３の帯長は、図３７に示すように、各領域Ｐ５４，Ｑ５６を結ぶ直線距離ＬＱ５６より長くする。
これにより、帯シートＳ５３は、帯側面領域Ｐ５４及び中敷側面領域Ｑ５６を基点（支点）として帯厚方向ＯＴに弾性変形できる。
【０１６２】
中仕切本体７２において、帯シートＳ５５は、図３６に示すように、中敷側面領域Ｑ５７にて中敷本体１（中敷側シート４）に接合（固定）される。
中敷側面領域Ｑ５７は、シート長手方向ＳＬにわたる中敷内側面４Ａの一部でなる。
中敷側面領域Ｑ５７は、図３６に示すように、中敷側面領域Ｑ５４及び側シート部８の長端８ａ間であって、側シート部６の長端６ｂ側に設定する。
中敷側面領域Ｑ５７は、中敷内側面４Ａにおいて、中敷底シート３側（シート幅方向ＳＨの中敷底シート３側）に設定される。
【０１６３】
帯シートＳ５５及び中敷側シート４は、図３６及び図３８に示すように、中敷側面領域Ｑ５７にて、一方の帯長端側Ｓ５５ａ及び側シート部６同士を、帯側面Ｓ５５Ｂ及び中敷内側面４Ａで接合する。
【０１６４】
帯シートＳ５５は、図３６に示すように、帯シートＳ５４の帯側面Ｓ５４Ｂにおける他方の帯長端側Ｓ５４ｂの帯側面領域Ｐ５５にて、帯シートＳ５４に接合される。
各帯シートＳ５５，Ｓ５４は、図３６及び図４０に示すように、帯側面領域Ｐ５５にて、帯長端側Ｓ５５ｂ，Ｓ５４ｂ同士を、帯側面Ｓ５５Ａ，Ｓ５４Ｂで接合する。
これにより、中仕切本体７２において、帯シートＳ５５は、中敷側面領域Ｑ５７及び帯側面領域Ｐ５５にて、中敷本体１（中敷側シート４）及び帯シートＳ５４に接合（固定）される。
【０１６５】
帯側面領域Ｐ５５及び中敷側面領域Ｑ５７間において、帯シートＳ５５の帯長は、図３７に示すように、各領域Ｐ５５，Ｑ５７を結ぶ直線距離ＬＱ５７より長くする。
これにより、帯シートＳ５５は、帯側面領域Ｐ５５及び中敷側面領域Ｑ５７を基点（支点）として帯厚方向ＯＴに弾性変形できる。
【０１６６】
中仕切本体７２において、帯シートＳ５６は、図３６に示すように、各帯側面領域Ｐ５４，Ｐ５５間に位置する、帯側面領域Ｐ５６、及び帯側面領域Ｐ５５にて帯シートＳ５５に接合される。帯側面領域Ｐ５６は、帯長手方向にわたる帯側面の一部でなる。
各帯シートＳ５６，Ｓ５５は、図３６及び図４１に示すように、帯側面領域Ｐ５６にて、帯長端側Ｓ５６ａ及び帯シートＳ５５同士を、帯側面Ｓ５６Ａ，Ｓ５５Ｂで接合する。
各帯シートＳ５６，Ｓ５５は、図３６及び図４０に示すように、帯側面領域Ｐ５５にて、帯長端側Ｓ５６ｂ，Ｓ５５ｂ同士を、帯側面Ｓ５６Ａ，Ｓ５５Ｂで接合する。
これにより、中仕切本体７２において、帯シートＳ５６は、帯長手方向ＯＬに間隔を隔てる、二ヶ所の帯側面領域Ｐ５５，Ｐ５６にて帯シートＳ５５に接合（固定）される。
【０１６７】
続いて、多環帯シート体Ｚ４及び帯シートＳ５１を、中敷本体１の開口１Ａから中敷本体１内に配置する。
【０１６８】
多環帯シート体Ｚ４は、図３０（ｂ）及び図３１に示すように、各帯シート環９１〜９４の一方の帯幅端Ｃｇを中敷底シート３に向けて、中敷側シート４（各側シート部６〜９）内側に収納される。
多環帯シート体Ｚ４において、各帯シート環９１〜９４は、図３０（ｂ）及び図３１に示すように、一方の帯幅端Ｃｇを各多環帯シート体Ｚ６の他方の帯幅端Ｃｋに当接し、及び一方の帯幅端Ｃｇを各帯シートＳ５２〜Ｓ５６の他方の帯幅端に当接して、各多環帯シート体Ｚ６上及び各帯シートＳ５２〜Ｓ５６上に立設される。
多環帯シート体Ｚ４は、図２９乃至図３１に示すように、各帯シート８５〜８９を各帯シート１２５〜１２７，Ｓ５２〜Ｓ５６に交差して配置される。
【０１６９】
帯シートＳ５１は、図３０及び図３１に示すように、帯幅方向ＯＨの一方の帯幅端を中敷底シート３に向けて、中敷側シート４（各側シート部６〜９）内側に収納される。
帯シートＳ５１は、図３２に示すように、帯側面Ｓ５１Ａを、各帯シート８９，８５の帯側面８９Ｂ，８５Ｂに対峙して配置される。
帯シートＳ５１は、一方の帯幅端を各多環帯シート体Ｚ６の他方の帯幅端Ｃｋに当接し、及び一方の帯幅端を各帯シートＳ５２〜Ｓ５６の他方の帯幅端に当接して、各多環帯シート体Ｚ６上及び各帯シートＳ５２〜Ｓ５６上に立設される。
帯シートＳ５１は、図２９乃至図３１に示すように、各帯シート１２５〜１２７，Ｓ５２〜Ｓ５６に交差して配置される。
【０１７０】
中仕切本体７２において、帯シートＳ５１は、図３２に示すように、中敷側シート４のシート長手方向ＳＬに間隔を隔てる、二ヶ所の中敷側面領域Ｑ７１，Ｑ７２にて中敷本体１（中敷側シート４）に接合（固定）される。
各中敷側面領域Ｑ７１，Ｑ７２は、シート長手方向ＳＬにわたる中敷内側面４Ａの一部でなる。
【０１７１】
中敷側面領域Ｑ７１は、図３２に示すように、側シート部７の長端７ａ側に設定する。
中敷側面領域Ｑ７２は、図３２に示すように、側シート部９の長端９ａ側に設定する。
各中敷側面領域Ｑ７１，Ｑ７２は、シート長手方向ＳＬにわたる中敷内側面４Ａの一部でなる。
各中敷側面領域Ｑ７１，Ｑ７２は、中敷内側面４Ａにおいて、中敷本体１の開口１Ａ側（シート幅方向ＳＨの開口１Ａ側）に設定される。
【０１７２】
帯シートＳ５１及び中敷側シート４は、図３２及び図３３に示すように、中敷側面領域Ｑ７１にて、一方の帯長端側Ｓ５１ａ及び側シート部７同士を、帯側面Ｓ１５Ｂ及び中敷内側面４Ａで接合する。帯シートＳ５１の帯側面Ｓ５１Ｂは、帯厚方向ＯＴにおいて、帯側面Ｓ５１Ａに対峙する平面である。
帯シートＳ５１及び中敷側シート４は、図３２及び図３４に示すように、中敷側面領域Ｑ７２にて、他方の帯長端側Ｓ５１ｂ及び側シート部９同士を、帯側面Ｓ５１Ｂ及び中敷内側面４Ａで接合する。
これにより、帯シートＳ５１は、二ヶ所の中敷側面領域Ｑ７１，Ｑ７２にて中敷側シート４に接合（固定）される。
【０１７３】
各中敷側面領域Ｑ７１，Ｑ７２間において、帯シートＡ５１の帯長は、図３２に示すように、各中敷側面領域Ｑ７１，Ｑ７２を結ぶ直線距離ＬＱ７１より長くする。
これにより、帯シートＳ５１は、各中敷側面領域Ｑ７１，Ｑ７２を基点（支点）として帯厚方向ＯＴに弾性変形できる。
【０１７４】
中仕切本体７２において、多環帯シート体Ｚ４は、図３２に示すように、中敷側シート４のシート長手方向ＳＬに間隔を隔てる、二ヶ所の中敷側面領域Ｑ７３，Ｑ７４にて中敷本体１（中敷側シート４）に接合（固定）される。
【０１７５】
中敷側面領域Ｑ７３は、図３２に示すように、側シート部７の長端７ａ及び中敷側面領域Ｑ７１間であって、側シート部７の長端７ａ側に設定する。
中敷側面領域Ｑ７４は、図３２に示すように、側シート部９の長端９ａ及び中敷側面領域Ｑ７２間であって、側シート部９の長端９ａ側に設定する。
各中敷側面領域Ｑ７３，Ｑ７４は、シート長手方向ＳＬにわたる中敷内側面４Ａの一部でなる。
各中敷側面領域Ｑ７３，Ｑ７４は、中敷内側面４Ａにおいて、中敷本体１の開口１Ａ側（シート幅方向ＳＨの開口１Ａ側）に設定される。
【０１７６】
多環帯シート体Ｚ４及び中敷側シート４は、図３２及び図３３に示すように、中敷側面領域Ｑ７３にて、帯側面領域Ｐ３３の帯シート８９（帯長端側８９ａ）及び側シート部７同士を、帯側面８９Ｂ及び中敷内側面４Ａで接合する。
多環帯シート体Ｚ４及び中敷側シート４は、図３２及び図３４に示すように、中敷側面領域Ｑ７４にて、帯側面領域Ｐ３４の帯シート８５（帯長端側８５ｂ）及び側シート部９同士を、帯側面８５Ｂ及び中敷内側面４Ａで接合する。
これにより、多環帯シート体Ｚ４は、二ヶ所の中敷側面領域Ｑ７３，Ｑ７４にて中敷側シート４に接合（固定）される。
【０１７７】
各中敷側面領域Ｑ７３，Ｑ７４間において、各帯シート環９１〜９３の各帯シート８６〜８９の帯長は、図３２に示すように、各中敷側面領域Ｑ７１，Ｑ７２を結ぶ直線距離ＬＱ７３より長くする。
これにより、各帯シート環９１〜９３の各帯シート８６〜８９は、各中敷側面領域Ｑ７３，Ｑ７４を基点（支点）として帯厚方向ＯＴに弾性変形できる。
【０１７８】
中仕切本体７２は、図２９乃至図３１に示すように、各多環帯シート体Ｚ４，Ｚ６及び各帯シートＳ５１〜Ｓ５６を、帯幅方向ＯＨに複数段（二段）配置する。
中仕切本体７２において、各多環微シート体Ｚ６及び各帯シートＳ５２〜Ｓ５６は一段目を構成し、多環帯シート体Ｚ４及び帯シートＳ５１は二段目を構成する。
【０１７９】
上記構成の包装ケース用中仕切Ｘ４は、図７及び図８で説明したと同様、包装ケースＹ内に収納され、包装ケースＹの内部を仕切る（図４２及び図４３参照）。
【０１８０】
包装ケース用中仕切Ｘ４を包装ケースＹ内に収納した後、複数の収納物品Ｇ５１，Ｇ５２を包装ケースＹ内に収納する（図４３参照）。
図４３において、収納物品Ｇ５１は、例えば、各帯シート８５，８９及び帯シートＳ５１間に配置して、包装ケースＹ内に収納する。収納物品Ｇ５２は、各帯シート１２７．Ｓ５１，Ｓ５２間において、及び収納物品Ｇ５１に接して配置して、包装ケースＹ内に収納する。
このとき、収納者は、各帯シート８５〜８９を、帯厚方向ＯＴに変形（弾性変形）して、収納物品Ｇ５１を各帯シート８５，８９．Ｓ５１間に収納する。収納物品Ｇ５１は、図４３（ｂ）に示すように、一段目の各帯シート１２５〜１２７．Ｓ５２〜Ｓ５６上に配置される。
収納者は、各帯シート１２７．Ｓ５２を、帯厚方向ＯＴに変形（弾性変形）して、収納物品Ｇ５２を各帯シート１２７．Ｓ５１，Ｓ５２間に収納する。収納物品Ｇ５２は、図４３に示すように、収納物品Ｇ５１に接して、中敷底シート３（包装底２０１）上に配置される。
【０１８１】
各収納物品Ｇ５１．Ｇ５２を各帯シート８５，８９．Ｓ５１間、又は各帯シート１２７．Ｓ５１，Ｓ５２間に配置すると、各帯シート１８６〜８８．１２６等も変形（弾性変形）される（図４３参照）。各収納物品Ｇ５１．Ｇ５２は、図４３（ａ）に示すように、大きさを相異している。
このとき、各帯シート８５〜８９は、変形（弾性変形）による復元力にて、帯シート８５，８９を収納物品Ｇ５１に当接し、及び収納物品Ｇ５１は収納物品Ｇ５２に当接する。
また、帯シート１２７．Ｓ５２は、変形（弾性変形）による復元力にて、収納物品Ｇ５２に当接し、及び収納物品Ｇ５２は帯シートＳ５１に当接する。
【０１８２】
帯シート８５，８９は、帯側面８５Ｂ，８９Ｂを収納物品Ｇ５１に面接触して、収納物品Ｇ５２とで収納物品Ｇ５１を保持する。
各帯シート１２７．Ｓ５１，Ｓ５２は、帯側面１２７Ｂ．Ｓ５１Ａ，Ｓ５２Ａを面接触して、収納物品Ｇ５２を保持する。
【０１８３】
各収納物品Ｇ５１．Ｇ５２を包装ケースＹに収納した後、包装ケースＹを搬送（運搬）すると、各収納物品Ｇ５１．Ｇ５２は、包装ケースＹの横揺れに追従して、帯厚方向ＯＴに横ズレする。
各収納物品Ｇ５１．Ｇ５２の横ズレに伴って、各帯シート８５〜８９．１２５〜１２７．Ｓ５１〜Ｓ５６は、帯厚方向ＯＴに変形（弾性変形）して、各収納物品Ｇ５１．Ｇ５２の横ズレを吸収し、緩衝材として機能する。
このように、包装ケース用中仕切Ｘ４では、多環帯シート体Ｚ４．Ｚ６の各帯シート８５〜８９．１２５〜１２７、及び各帯シートＳ５１〜Ｓ５６を帯厚方向ＯＴに弾性変形することで、同一形状、相異する形状の収納物品、又は大きさの相異する収納物品を保持できる。
【０１８４】
＜第５実施形態＞
第５実施形態の包装ケース用中仕切Ｘ５について、図４４乃至図４８を参照して説明する。
なお、図４４乃至図４８において、図１乃至図８と同一符号は、同一部材、同一構成であるので、その詳細な説明は省略する。
【０１８５】
図４４乃至図４８において、第５実施形態の包装ケース用中仕切Ｘ５（以下、「包装ケース用中仕切Ｘ５」という）は、中敷本体１及び中仕切本体１５２を備える。
【０１８６】
包装ケース用中仕切Ｘ５において、中敷本体１は、図１乃至図４で説明したと同様、中敷底シート３及び中敷側シート４でなる。中敷底シート３は、例えば、正方形（矩形）の平面シートに形成される。中敷側シート４は、複数（４つ）の側シート部６〜９を有し、各側シート部６〜９は、正方形外縁５の各辺端５Ａ〜５Ｄに対応して配置される。
これにより、中敷本体１は、正方形の開口１Ａを有し、中敷底シート３及び中敷側シート４（各側シート部６〜９）にて正方形シート箱（中敷ケース）に形成される。
【０１８７】
中仕切本体１５２は、図４４乃至図４８に示すように、多環帯シート体Ｚ８を含んでなる。
多環帯シート体Ｚ８は、図４４乃至図４６に示すように、複数の帯シート１５５，１５６，１５７を有する。多環帯シート体Ｚ８は、各帯シート１５５〜１５７にて環状に形成される複数の帯シート環１６１，１６２，１６３を有する。
【０１８８】
各帯シート１５５〜１５７は、長方形帯状の平面シートに形成され、帯幅方向ＯＨに帯幅Ｓを有する。
各帯シート１５５〜１５７は、帯長手方向ＯＬの帯長を相異して形成される。各帯シート１５５〜１５７の帯長は、帯シート１５５＜帯シート１５６＜帯シート１５７の関係である。
各帯シート１５５〜１５７は、可撓性のある素材で形成され、例えば、帯厚の薄い紙シート又は合成樹脂シート（プラスチックシート）でなる。
【０１８９】
帯シート１５５は、図４５及び図４６に示すように、帯長手方向ＯＬの各帯長端側１５５ａ，１５５ｂ同士を、帯側面１５５Ａ．１５５Ｂで接合して、一の帯シート環１６１を形成する。帯シート環１６１は、円環に形成される。帯シート１５５の各帯側面１５５Ａ．１５５Ｂは、帯厚方向ＯＴにおいて対峙する平面である。
なお、接合とは、例えば、接着剤又は両面接着テープ等の接着媒体を帯シートの各帯側面間に介在して、帯シートの各帯長端側を接着して固定することである（以下、同様）。
【０１９０】
帯シート１５６は、図４５及び図４６に示すように、帯長手方向ＯＬの各帯長端側１５６ａ，１５６ｂ同士を、帯側面１５６Ａ．１５６Ｂで接合して、一の帯シート環１６２を形成する。帯シート環１６２は、円環に形成される。帯シート１５６の各帯側面１５６Ａ．１５６Ｂは、帯厚方向において対峙する平面である。
【０１９１】
帯シート１５７は、図４５及び図４６に示すように、帯長手方向ＯＬの各帯長端側１５７ａ，１５７ｂ同士を、帯側面１５７Ａ．１５７Ｂで接合して、一の帯シート環１６３を形成する。帯シート環１６３は、円環に形成される。帯シート１５７の各帯側面１５７Ａ．１５７Ｂは、帯厚方向ＯＴにおいて対峙する平面である。
【０１９２】
これにより、各帯シート環１６１〜１６３は、大きさの相異する円環に形成される。各帯シート環１６１〜１６３の大きさは、帯シート環１６１＜帯シート環１６２＜帯シート環１６３の関係となる。
【０１９３】
多環帯シート体Ｚ８において、各帯シート環１６１〜１６３は、多重環状に配置して隣設される。
帯シート環１６１は、図４４乃至図４６に示すように、帯シート環１６２内側に位置され、帯側面１５５Ｂを帯シート環１６２の帯側面１５６Ａに対峙して配置される。
帯シート環１６３は、図４４乃至図４６に示すように、帯シート環１６２（帯シート環１６１）外側に位置して、帯側面１５７Ａを帯シート環１６２の帯側面１５６Ｂに対峙して配置される。
これにより、多環帯シート体Ｚ８は、各帯シート環１６１〜１６３を帯厚方向ＯＴに多重配置して隣設する。
【０１９４】
隣設する内側及び外側の帯シート環１６１，１６２は、図４４乃至図４６に示すように、帯長手方向ＯＬの帯側面における一ヶ所の帯側面領域Ｐ８５にて、各帯シート１５５，１５６同士を、内側の帯シート環１６１の帯側面１５５Ｂ及び外側の帯シート環１６２の帯側面１５６Ａで接合する。
なお、接合とは、接着剤又は両面接着テープ等の接着媒体を各帯シート間に介在して、各帯シートを接着して固定することである（以下、同様）。
【０１９５】
隣設する内側及び外側の微シート環１６２，１６３は、図４４乃至図４６に示すように、帯側面領域Ｐ８５にて、各帯シート１５６，１５７同士を、内側の帯シート環１６２の帯側面１５６Ｂ及び外側の帯シート環１６３の帯側面１５７Ａで接合する。
これにより、多環帯シート体Ｚ８は、各帯シート環１６１〜１６３を帯厚方向ＯＴに多重配置し、及び各帯シート環１６１〜１６３を帯側面領域Ｐ８５にて接合してなる。
【０１９６】
中仕切本体１６２において、多環帯シート体Ｚ８は、図４４乃至図４８に示すように、中敷本体１の開口１Ａから中敷本体１内に配置される。
多環帯シート体Ｚ８は、図４５（ｂ）及び図４６に示すように、帯幅方向ＯＨにおいて、各帯シート環１６１〜１６３の一方の帯幅端Ｃｗを中敷底シート３に向けて、中敷側シート４（各側シート部６〜９）内側に収納される。
多環帯シート体Ｚ８において、各帯シート環１６１〜１６３は、一方の帯幅端Ｃｗを中敷底シート３に当接して、中敷側シート４内側にて中敷底シート３上に立設される。
なお、包装ケース用中仕切Ｘ５では、多環帯シート体Ｚ８を中敷本体１（中敷側シート４）に接合しない。
【０１９７】
上記構成の包装ケース用中仕切Ｘ５は、図７及び図８で説明したと同様、包装ケースＹ内に収納される（図４７及び図４８参照）。
【０１９８】
包装ケース用中仕切Ｘ５を包装ケースＹ内に収納した後、複数の収納物品Ｇ６１．Ｇ６２を包装ケースＹ内に収納する（図４８参照）。
図４８において、収納物品Ｇ６１は、例えば、帯シート１５７及び各側シート部８．９間に配置して、包装ケースＹ内に収納する。収納物品Ｇ６２は、例えば、帯シート環１６２内側であって、帯シート環１６１外側（各帯シート１５５，１５６間）に配置して、包装ケースＹ内に収納する。
このとき、収納者は、各帯シート環１６１〜１６３の各帯シート１５５〜１５７を帯厚方向ＯＴに変形（弾性変形）して、収納物品Ｇ６１を帯シート１５７及び各側シート部８．９間に収納し、及び収納物品Ｇ６２を各帯シート１５５．１５６間に収納する。各収納物品Ｇ６１．Ｇ６２は、図４８（ｂ）に示すように、包装ケースＹ内において、中敷底シート３（包装底２０１）上に配置される。
各帯シート１５５〜１５７は、変形（弾性変形）による復元力にて、帯シート１５７を収納物品Ｇ６１に当接し、及び各帯シート１５５．１５６を収納物品Ｇ６２に当接する。
帯シート１５７は、帯側面１５７Ｂを収納物品Ｇ６１に面接触して、各側シート部８．９とで収納物品Ｇ６１を保持する。
各帯シート１５５．１５６は、各帯側面１５５Ｂ．１５６Ａを収納物品Ｇ６２に面接触して、収納物品Ｇ６２を保持する。  
【０１９９】
各収納物品Ｇ６１．Ｇ６２を包装ケースＹに収納した後、包装ケースＹを搬送（運搬）すると、各収納物品Ｇ６１．Ｇ６２は、包装ケースＹの横揺れに追従して、帯厚方向ＯＴに横ズレする。
各収納物品Ｇ６１．Ｇ６２の横ズレに伴って、各帯シート環１６１〜１６３の各帯シート１５５〜１５７は、帯厚方向ＯＴに変形（弾性変形）して、各収納物品Ｇ６１．Ｇ６２の横ズレを吸収し、緩衝材として機能する。
このように、包装ケース用中仕切Ｘ５では、多環帯シート体Ｚ８の各帯シート１５５〜１５７を帯厚方向ＯＴに弾性変形することで、同一形状、相異する形状の収納物品、又は大きさの相異する収納物品を保持できる。
【０２００】
第５実施形態の包装ケース用中仕切Ｘ５では、多環帯シート体Ｚ８の最外側の帯シート環１６３を中敷側シート４に固定する構成も採用できる。
図４５において、多環帯シート体Ｚ６及び中敷側シート４は、中敷側面領域Ｑ９１にて、最外側の帯シート環１６３の帯シート１５７及び側シート部７同士を、帯側面１５７Ｂ及び中敷内側面４Ａで接合する。このとき、多環帯シート体Ｚ８は、例えば、帯側面領域Ｐ８５の帯シート１５７を側シート部７に接合して、各帯シート環１６１〜１６３を中敷側シート４に固定する。
なお、接合とは、接着剤又は両面接着テープ等の接着媒体を帯側面及び中敷内側面間に介在して、帯シート及び中敷側シートを接着して固定することである（以下、同様）。
また、第５実施形態の包装ケース用中仕切Ｘ５において、多環帯シート体Ｚ８は、シート長手方向ＳＬに間隔を隔てる、二ヶ所（複数ヶ所）の中敷側面領域にて、帯シート１５７及び中敷側シート４（側シート部６〜９）同士を接合しても良い。
【０２０１】
＜第６実施形態＞
第６実施形態の包装ケース用中仕切について、図４９乃至図５３を参照して説明する。
なお、図４９乃至図５３において、図１乃至図８、及び図４４乃至図４８と同一符号は、同一部材、同一構成であるので、その詳細な説明は省略する。
【０２０２】
図４９乃至図５３において、第６実施径板の包装ケース用中仕切Ｘ６（以下、「包装ケース用中仕切Ｘ８」という）は、中敷本体１７１及び中仕切本体１７２を備える。
【０２０３】
＜中敷本体１７１＞
中敷本体１７１は、図４９乃至図５１に示すように、中敷底シート１７３、及び中敷側シート１７４でなる。
【０２０４】
中敷底シート１７３は、例えば、矩形（長方形）に形成される。中敷底シート１７３は、紙シート、又は合成樹脂シート（プラスチックシート）等にて、長方形の平面シートに形成される。中敷底シート１７３は、長方形外縁１７５を有する。長方形外縁１７５は、複数（４つ）の辺縁１７５Ａ〜１７５Ｄでなる。
【０２０５】
中敷側シート１７４は、例えば、長方形帯状（矩形帯状）に形成される。中敷側」シート４は、紙シート又は合成樹脂シート（プラスチックシート）等にて、長方形帯状の平面シートに形成される。中敷側シート１７４は、シート幅方向ＳＨにおいて、シート幅Ｓを有する。
【０２０６】
中敷側シート１７４は、図４９乃至図５１に示すように、中敷底シート１７３の長方形外縁１７５に沿って配置される。中敷側シート１７４は、中敷底シート１７３に直交して形成される。
中敷側シート１７４は、複数（４つ）の側シート部１７６．１７７．１７８．１７９を有し、各側シート部１７６〜１７９は、長方形外縁１７５の各辺縁１７５Ａ．１７５Ｂ．１７５Ｃ．１７５Ｄに対応して配置される。
各側シート部１７６〜１７９は、対応する長方形外縁１７５の各辺縁１７５Ａ．１７５Ｂ．１７５Ｃ．１７５Ｄに沿って配置される。
各側シート部１７６〜１７９は、一方の幅端を対応する辺縁１７５Ａ．１７５Ｂ．１７５Ｃ．１７５Ｄに連続形成して、中敷底シート１７３に直交される。
【０２０７】
中敷側シート１７４において、側シート部１７６は、シート長手方向ＳＬの各長端１７６ａ．１７６ｂを、燐設する各側シート部１７７．１７９の一方の長端１７７ａ．１７９ａに連結する。側シート部１７８は、シート長手方向ＳＬの各長端１７８ａ．１７８ｂを、燐設する各側シート１７７．１７９の他方の長端１７７ｂ．１７９ｂに連結する。
これにより、中敷側シート１７４は、長方形外縁１７５に沿って配置され、中敷本体１７１の外枠を構成する。各側シート部１７６〜１７９は、中敷底シート１７３に直交し、長方形外縁１７５（各辺縁１７５Ａ〜１７５Ｄ）から同方向にシート幅Ｓだけ延在される。
これにより、中敷本体１７１は、矩形（長方形）の開口１７１Ａを有し、中敷底シート１７３及び中敷側シート１７４（各側シート部１７６〜１７９）にて長方形ケース箱（中敷ケース）に形成される。
【０２０８】
＜中仕切本体１７２＞
中仕切本体１２７は、図４９乃至図５１に示すように、多環帯シート体Ｚ９を含んでなる。
多環帯シート体Ｚ９は、図４４乃至図４６で説明したと同様、複数の帯シート環１６１〜１６３を有する。各帯シート環１６１〜１６３は、各帯シート１５５〜１５７にて環状に形成される。
各帯シート環１６１〜１６３は、多重環状に配置して隣設される
【０２０９】
隣設する内側及び外側の各帯シート環１６１，１６２は、図５０及び図５１に示すように、帯長手方向ＯＬに間隔を隔てる、帯側面における二ヶ所の帯側面領域Ｐ８６，Ｐ８７にて、各帯シート１５５，１５６同士を、帯側面１５５Ｂ，１５６Ａで接合する。
【０２１０】
隣設する内側及び外側の各帯シート環１６２，１６３は、図５０及び図５１に示すように、帯長手方向ＯＬに間隔を隔てる、帯側面における二ヶ所の帯側面領域Ｐ８８，Ｐ８９にて、各帯シート同１５６，１５７同士を、帯側面１５６Ｂ，１５７Ａで接合する。
これにより、多環帯シート体Ｚ９は、各帯シート環１６１〜１６３を帯厚方向ＯＴに多重配置し、及び各帯シート環１６１〜１６３を二ヶ所の帯側面領域Ｐ８６，Ｐ８７（又はＰ８８，Ｐ８９）にて接合してなる。
【０２１１】
中仕切本体１２２において、多環帯シート体Ｚ９は、図４９乃至図５３に示すように、中敷本体１７１内に配置される。
多環帯シート体Ｚ９は、帯幅方向ＯＨにおいて、各帯シート環１６１〜１６３の一方の帯幅端Ｃｘを中敷底シート３に向けて、中敷側シート４（各側シート部６〜９）内側に収納される。
多環帯シート体Ｚ９において、各帯シート環１６１〜１６３は、一方の帯幅端Ｃｘを中敷底シート３に当接して、中敷側シート４内側にて中敷底シート３上に立設される。
なお、包装ケース用中仕切Ｘ６では、多環帯シート体Ｚ９を中敷本体１（中敷側シート４）に接合しない。
【０２１２】
上記構成の包装ケース用中仕切Ｘ６は、図７及び図８で説明したと同様、包装ケースＹ１内に収納され、包装ケースＹ１の内部を仕切る（図５２乃至図５３参照）。
【０２１３】
図５２及び図５３において、包装ケースＹ１は、例えば、長方形箱に形成され、包装底４０１及び包装外枠４０２を有する。包装外枠４０２は、包装底４０１外縁に沿って配置され、包装底４０１に直交して形成される。
これにより、包装ケースＹ１は、矩形（長方形）の開口１７１Ａを有し、包装底１７３及び包装外枠１７４（各側シート部１７６〜１７９）にて長方形箱ケースに形成される。
【０２１４】
包装ケース用中仕切Ｘ６において、中敷本体１７１は、中敷底シート１７３を包装底４０１に向けて配置する。
中敷本体１７１は、中敷底シート１７３を包装ケースＹ１の開口１７１Ａから包装ケースＹ１内に挿入し、及び中敷底シート１７３を包装底４０１に配置する。
中敷本体１７１は、中敷側シート１７４（各側シート部１７６〜１７９）を包装外枠４０２内側に配置して、包装ケースＹ１内に収納される。
これにより、多環帯シート体Ｚ９は、中敷本体１７１（包装ケースＹ１）内側に位置して、包装ケースＹ１内に収納され、及び包装ケースＹ１の内部を複数の収納空所３０１．３０１．…に仕切る。
【０２１５】
包装ケース用中仕切Ｘ６を包装ケースＹ内に収納した後、収納物品Ｇ７１を包装ケースＹ内に収納する（図５３参照）。
図５３において、収納物品Ｇ７１は、例えば、帯シート１５７及び各側シート部１７８．１７９間に配置して、包装ケースＹ１内に収納する。
このとき、収納者は、各帯シート環１６２．１６３の各帯シート１５６．１５７を帯厚方向ＯＴに変形（弾性変形）して、収納物品Ｇ７１を帯シート１５７及び各側シート部１７８．１７９間に収納する。収納物品Ｇ７１は、図５３（ｂ）に示すように、包装ケースＹ１内において、中敷底シート１７３（包装底４０１）上に配置される。
【０２１６】
収納物品Ｇ７１を帯シート１５７及び各側シート部１７８，１７９間に配置すると、帯シート１５６も変形（弾性変形）される（図５３参照）。
このとき、各帯シート１５７，１５６は、変形（弾性変形）による復元力にて、帯シート１５７を収納物品Ｇ７１に当接する。
帯シート１５７は、帯側面１５７Ｂを収納物品Ｇ７１に面接触して、各側シート部１７８，１７９とで収納物品Ｇ７１を保持する。
【０２１７】
収納物品Ｇ７１を包装ケースＹ１に収納した後、包装ケースＹ１を搬送（運搬）すると、収納物品Ｇ７１は、包装ケースＹ１の横揺れに追従して、帯厚方向ＯＴに横ズレする。
収納物品Ｇ７１の横ズレに伴って、各帯シート環１６１〜１６３の各帯シート１５５〜１５７は、帯厚方向ＯＴに変形（弾性変形）して、収納物品Ｇ７１の横ズレを吸収し、緩衝材として機能する。
このように、包装ケース用中仕切Ｘ６では、多環帯シート体Ｚ９の各帯シート１５５〜１５７を帯厚方向ＯＴに弾性変形することで、同一形状、相異する形状の収納物品、又は大きさの相異する収納物品を保持できる。
【０２１８】
第６実施形態の包装ケース用中仕切Ｘ６では、多環帯シート体Ｚ９の最外側の帯シート環１６３を中敷側シート１７４に固定する構成も採用できる。
図５０において、多環帯シート体Ｚ９及び中敷側シート４は、中敷側面領域Ｑ９５にて、最外側の帯シート環１６３の帯シート１５７及び側シート部１７７同士を、帯側面１５７Ｂ及び中敷内側面１７４Ａで接合する。このとき、多環帯シート体Ｚ９は、例えば、帯側面領域Ｐ８８の帯シート１５７を側シート部１７７に接合して、各帯シート環１６１〜１６３を中敷本体１７１（中敷側シート１７４）に固定する。
また、第６実施形態の包装ケース用中仕切Ｘ６において、多環帯シート体Ｚ９は、シート長手方向ＳＬに間隔を隔てる、二ヶ所（複数ヶ所）の中敷側面領域にて、帯シート１５７及び中敷側シート１７４（側シート部１７６〜１７９）同士を接合しても良い。
【０２１９】
第１乃至第６実施形態の包装ケース用中仕切Ｘ１〜Ｘ６では、中敷本体１，１７１について、円形箱、三角形箱及び五角形箱等を採用できる。
【０２２０】
第１乃至第４実施形態の包装ケース用中仕切Ｘ１〜Ｘ４では、各多環帯シート体Ｚ１，Ｚ２，Ｚ３，Ｚ４，Ｚ６を中敷本体１（中敷側シート４）に固定（接合）することなく、中敷本体１内（各側シート部６〜９内側）に配置しても良い。
【産業上の利用可能性】
【０２２１】
本考案は、包装ケースの内部を仕切るのに最適である。
【符号の説明】
【０２２２】
Ｘ１  包装ケース用中仕切
Ｙ  包装ケース
Ｚ１  多環帯シート体
ＯＬ  帯長手方向
ＯＨ  帯幅方向
ＯＴ  帯厚方向
１  中敷本体
２  中仕切本体
３  中敷底シート
４  中敷側シート
１５〜１９  帯シート
２１〜２４  帯シート環
Ｐ１，Ｐ２  帯側面領域
【図１】
0003199264.tif 000003
【図２】
0003199264.tif 000004
【図３】
0003199264.tif 000005
【図４】
0003199264.tif 000006
【図５】
0003199264.tif 000007
【図６】
0003199264.tif 000008
【図７】
0003199264.tif 000009
【図８】
0003199264.tif 000010
【図９】
0003199264.tif 000011
【図１０】
0003199264.tif 000012
【図１１】
0003199264.tif 000013
【図１２】
0003199264.tif 000014
【図１３】
0003199264.tif 000015
【図１４】
0003199264.tif 000016
【図１５】
0003199264.tif 000017
【図１６】
0003199264.tif 000018
【図１７】
0003199264.tif 000019
【図１８】
0003199264.tif 000020
【図１９】
0003199264.tif 000021
【図２０】
0003199264.tif 000022
【図２１】
0003199264.tif 000023
【図２２】
0003199264.tif 000024
【図２３】
0003199264.tif 000025
【図２４】
0003199264.tif 000026
【図２５】
0003199264.tif 000027
【図２６】
0003199264.tif 000028
【図２７】
0003199264.tif 000029
【図２８】
0003199264.tif 000030
【図２９】
0003199264.tif 000031
【図３０】
0003199264.tif 000032
【図３１】
0003199264.tif 000033
【図３２】
0003199264.tif 000034
【図３３】
0003199264.tif 000035
【図３４】
0003199264.tif 000036
【図３５】
0003199264.tif 000037
【図３６】
0003199264.tif 000038
【図３７】
0003199264.tif 000039
【図３８】
0003199264.tif 000040
【図３９】
0003199264.tif 000041
【図４０】
0003199264.tif 000042
【図４１】
0003199264.tif 000043
【図４２】
0003199264.tif 000044
【図４３】
0003199264.tif 000045
【図４４】
0003199264.tif 000046
【図４５】
0003199264.tif 000047
【図４６】
0003199264.tif 000048
【図４７】
0003199264.tif 000049
【図４８】
0003199264.tif 000050
【図４９】
0003199264.tif 000051
【図５０】
0003199264.tif 000052
【図５１】
0003199264.tif 000053
【図５２】
0003199264.tif 000054
【図５３】
0003199264.tif 000055